(57)【特許請求の範囲】
【請求項１】
生活習慣に関するアンケートに含まれる２以上の各設問と病気の予防診断に関連のある項目を識別する１又は２以上の未病領域識別子との対応関係を示す情報であって、２以上の各設問の回答と１又は２以上の未病領域識別子毎に設定されたスコア又はパラメータとが対応付けられている第一対応情報と、２以上の各未病領域識別子と遂行することでその未病領域のリスクが改善することが期待される１以上のタスクとが対応付けられている第二対応情報とが格納される対応情報格納部と、
生活習慣に関するアンケートに含まれる２以上の各設問に対する回答を取得する回答取得部と、
取得された２以上の回答と前記第一対応情報とを用いて、各回答に対応する前記スコア又はパラメータとを用いた演算を行うことにより、２以上の未病領域識別子毎に、回答を行ったユーザが当該未病領域に関してリスクを有する程度を表すスコアを取得し、取得した各未病領域識別子のスコアと前記第二対応情報とを用いて、当該回答を行ったユーザがリスクを有する未病領域に対応するタスクを選択し、選択したタスクについてのタスク情報を出力するタスク出力部と、
出力された前記タスク情報に対応するタスクの遂行状況を示すタスク遂行情報を取得し、取得したタスク遂行情報に基づいて、タスクの遂行に関する条件が満たされる場合に出力条件が満たされると判断する出力条件判断部と、
前記出力条件判断部により前記出力条件が満たされると判断された場合に、ユーザに１以上の商品又は当該商品を取得可能な権利を付与する付与部とを備え、
前記タスク情報は、選択したタスクを識別可能な情報と、当該タスクの説明文及び当該タスクが対応する未病領域識別子の少なくとも一方とを含み、
前記タスクの遂行に関する条件は、当該タスクを遂行した回数が所定の数に達したこと、又は当該タスクが遂行されたことにより算出される獲得ポイントが所定の閾値に達したことである、情報処理システム。
【請求項２】
前記出力条件判断部は、２以上の未病領域識別子のうち前記タスク出力部により取得されたスコアが最も高い未病領域識別子が、所定の未病領域識別子と一致する場合に出力条件が満たされると判断する、請求項１に記載の情報処理システム。
【請求項３】
前記対応情報格納部には、前記アンケートに含まれる設問、タスク、及び１以上の未病領域識別子のうちいずれかと、商品を識別する商品識別子との対応関係を示す第三対応情報が格納され、
前記付与部は、前記第三対応情報を用いて１以上の商品識別子を取得し、取得した商品識別子に対応する商品又は当該商品を取得可能な権利をユーザに付与する、請求項１又は２に記載の情報処理システム。
【請求項４】
前記出力条件判断部は、一のユーザのタスク遂行情報と、前記一のユーザとは別の一以上のユーザのタスク遂行情報とを取得し、取得した情報に基づいて、前記一のユーザのタスクの遂行状況が、全てのユーザ中で所定の上位に位置する状態になっている場合に、前記出力条件が満たされると判断する、請求項１から３のいずれかに記載の情報処理システム。
【請求項５】
ユーザの抽選を行った抽選結果を取得する抽選結果取得部を備え、
前記出力条件判断部は、ユーザが前記抽選に当選した場合に、前記出力条件が満たされると判断する、請求項１から４のいずれかに記載の情報処理システム。
【請求項６】
前記付与部は、前記出力条件判断部により前記出力条件が満たされると判断された場合に、１以上の商品と引き換え可能なクーポン情報をユーザに出力することにより、当該ユーザに当該商品を取得可能な権利の付与を行うように構成されており、
前記クーポン情報に基づいた商品の引き換えが行われた場合に、当該クーポン情報を使用不可能に設定するクーポン情報管理部をさらに備える、請求項１から５のいずれかに記載の情報処理システム。
【請求項７】
ユーザにより与えられた前記クーポン情報を取得するクーポン情報取得部と、
前記クーポン情報取得部により取得された前記クーポン情報に基づいて、保管している商品をユーザに払い出す払出部とをさらに備える、請求項６に記載の情報処理システム。
【請求項８】
前記回答取得部により取得された２以上の回答と、前記第一対応情報とに基づいた、回答を行ったユーザの病気の予防に関連する課題を示す課題情報を当該ユーザに出力する課題情報出力部をさらに備える、請求項１から７のいずれかに記載の情報処理システム。
【請求項９】
前記タスク出力部は、ユーザが有する装置に搭載されている計測部により計測された計測値に基づく、ユーザの活動量と生活習慣を表す時間と生活環境とのうちいずれかについての計測情報を取得し、選択対象として選別されるための予め設定された基準値に前記計測情報が対応するタスクを選択対象としてユーザに遂行させるタスクを選択する、請求項１から８のいずれかに記載の情報処理システム。
【請求項１０】
前記出力条件判断部は、ユーザが有する装置に搭載されている計測部により計測された計測値に基づく、ユーザの歩数に関する計測情報を取得し、取得した前記計測情報に基づいて、歩数が所定値以上である場合に、前記出力条件が満たされると判断する、請求項１から９のいずれかに記載の情報処理システム。
【請求項１１】
生活習慣に関するアンケートに含まれる２以上の各設問と、病気の予防診断に関連のある項目を識別する１又は２以上の未病領域識別子との対応関係を示す情報であって、２以上の各設問の回答と１又は２以上の未病領域識別子毎に設定されたスコア又はパラメータとが対応付けられている第一対応情報と、２以上の各未病領域識別子と遂行することでその未病領域のリスクが改善することが期待される１以上のタスクとが対応付けられている第二対応情報とが格納される対応情報格納部と、回答情報取得部と、タスク出力部と、出力条件判断部と、付与部とを備える情報処理システムにより実現される情報処理方法であって、
前記回答情報取得部が、生活習慣に関するアンケートに含まれる２以上の各設問に対する回答を取得する回答取得ステップと、
前記タスク出力部が、前記回答取得ステップにより取得された２以上の回答と前記第一対応情報とを用いて、各回答に対応する前記スコア又はパラメータとを用いた演算を行うことにより、２以上の未病領域識別子毎に、回答を行ったユーザが当該未病領域に関してリスクを有する程度を表すスコアを取得し、取得した各未病領域識別子のスコアと前記第二対応情報とを用いて、当該回答を行ったユーザがリスクを有する未病領域に対応するタスクを選択し、選択したタスクについてのタスク情報を出力するタスク出力ステップと、
前記出力条件判断部が、前記タスク出力ステップにより出力された前記タスク情報に対応するタスクの遂行状況を示すタスク遂行情報を取得し、取得した前記タスク遂行情報に基づいて、タスクの遂行に関する条件が満たされる場合に出力条件が満たされると判断する出力条件判断ステップと、
前記付与部が、前記出力条件判断ステップにより前記出力条件が満たされると判断された場合に、ユーザに１以上の商品又は当該商品を取得可能な権利を付与する付与ステップとを備え、
前記タスク情報は、選択したタスクを識別可能な情報と、当該タスクの説明文及び当該タスクが対応する未病領域識別子の少なくとも一方とを含み、
前記タスクの遂行に関する条件は、当該タスクを遂行した回数が所定の数に達したこと、又は当該タスクが遂行されたことにより算出される獲得ポイントが所定の閾値に達したことである、情報処理方法。
【請求項１２】
生活習慣に関するアンケートに含まれる２以上の各設問と、病気の予防診断に関連のある項目を識別する１又は２以上の未病領域識別子との対応関係を示す情報であって、２以上の各設問の回答と１又は２以上の未病領域識別子毎に設定されたスコア又はパラメータとが対応付けられている第一対応情報と、２以上の各未病領域識別子と遂行することでその未病領域のリスクが改善することが期待される１以上のタスクとが対応付けられている第二対応情報とが格納される対応情報格納部を備える情報処理システムが有する１以上のコンピュータを、
生活習慣に関するアンケートに含まれる２以上の各設問に対する回答を取得する回答取得部と、
取得された２以上の回答と前記第一対応情報とを用いて、各回答に対応する前記スコア又はパラメータとを用いた演算を行うことにより、２以上の未病領域識別子毎に、回答を行ったユーザが当該未病領域に関してリスクを有する程度を表すスコアを取得し、取得した各未病領域識別子のスコアと前記第二対応情報とを用いて、当該回答を行ったユーザがリスクを有する未病領域に対応するタスクを選択し、選択したタスクについてのタスク情報を出力するタスク出力部と、
出力された前記タスク情報に対応するタスクの遂行状況を示すタスク遂行情報を取得し、取得したタスク遂行情報に基づいて、タスクの遂行に関する条件が満たされる場合に出力条件が満たされると判断する出力条件判断部と、
前記出力条件判断部により前記出力条件が満たされると判断された場合に、ユーザに１以上の商品又は当該商品を取得可能な権利を付与する付与部として機能させ、
前記タスク情報は、選択したタスクを識別可能な情報と、当該タスクの説明文及び当該タスクが対応する未病領域識別子の少なくとも一方とを含み、
前記タスクの遂行に関する条件は、当該タスクを遂行した回数が所定の数に達したこと、又は当該タスクが遂行されたことにより算出される獲得ポイントが所定の閾値に達したことである、プログラム。
【発明の詳細な説明】
【技術分野】
【０００１】
本発明は、生活習慣に関するアンケートに対する回答を用いて情報処理を行う情報処理システム、情報処理方法及びプログラムに関するものである。
【背景技術】
【０００２】
従来、健康管理対象者の現在及び過去の行動パターンを分析して推測した身体情報等に基づいて、対象者へのタスクやアドバイスメッセージを生成するように構成された情報処理システムがある（例えば、下記特許文献１参照）。
【０００３】
また、特許文献２には、ユーザの回答に基づき、ユーザに不足している栄養素を特定し、不足している栄養素を含むサプリメントを提案する情報処理システムが開示されている。
【先行技術文献】
【特許文献】
【０００４】
【特許文献１】特許第６２４４４７６号公報
【特許文献２】特許第６５８６４９９号公報
【発明の概要】
【発明が解決しようとする課題】
【０００５】
ところで、従来のような情報処理システムにおいては、ユーザに病気の予防を目的としたタスクを遂行させることが困難であった。
【０００６】
そこで、本発明は、病気の予防に関する課題をユーザに認識させるとともに、ユーザにタスクを遂行する動機付けを行うことができる情報処理システムを提供することを目的とする。
【課題を解決するための手段】
【０００７】
本第一の発明の情報処理システムは、生活習慣に関するアンケートに含まれる２以上の各設問と、病気の予防診断に関連のある項目を識別する１又は２以上の未病領域識別子との対応関係を示す第一対応情報と、２以上の各未病領域識別子と１以上のタスクとの対応関係を示す第二対応情報とが格納される対応情報格納部と、生活習慣に関するアンケートに含まれる２以上の各設問に対する回答を取得する回答取得部と、取得された２以上の回答と、第一対応情報と、第二対応情報とを用いて、回答を行ったユーザに遂行させるタスクに対応するタスク情報を出力するタスク出力部と、出力されたタスク情報に対応するタスクの遂行に関するタスク遂行情報を取得し、取得したタスク遂行情報に基づいて、タスクの遂行に関する条件を含む所定の出力条件が満たされるか否かを判断する出力条件判断部と、出力条件判断部により出力条件が満たされると判断された場合に、ユーザに１以上の商品又は商品を取得可能な権利を付与する付与部とを備える、情報処理システムである。
【０００８】
かかる構成により、ユーザにタスクを遂行させる動機付けを行うことができる。
【０００９】
また、本第二の発明の情報処理システムは、第一の発明に対して、第一対応情報は、２以上の各設問について、当該設問に対応する回答内容毎に、対応する１又は２以上の未病領域識別子毎のスコアを特定可能に構成されており、タスク出力部は、取得された２以上の回答を用いて、回答を行ったユーザに対応するスコアを２以上の未病領域識別子毎に取得し、各未病領域識別子のスコアを用いて、当該ユーザに対応するタスク情報を出力する、情報処理システムである。
【００１０】
かかる構成により、設問に回答したユーザにより適合したタスクを遂行させることができる。
【００１１】
また、本第三の発明の情報処理システムは、第二の発明に対して、出力条件は、２以上の各未病領域識別子に対応するスコア又はタスクの遂行の回数に関する条件を含む、情報処理システムである。
【００１２】
かかる構成により、未病領域識別子に対応するスコア又はタスクの遂行の回数が所定の条件を満たす場合に、商品等を付与することができる。
【００１３】
また、本第四の発明の情報処理システムは、第一から三のいずれかの発明に対して、対応情報格納部には、アンケートに含まれる設問、タスク、及び１以上の未病領域識別子のうちいずれかと、商品を識別する商品識別子との対応関係を示す第三対応情報が格納され、付与部は、第三対応情報を用いて１以上の商品識別子を取得し、取得した商品識別子に対応する商品又は商品を取得可能な権利をユーザに付与する、情報処理システムである。
【００１４】
かかる構成により、ユーザに適合した商品や当該商品の取得権を付与することができる。
【００１５】
また、本第五の発明の情報処理システムは、第一から四のいずれかの発明に対して、出力条件判断部は、一のユーザによるタスクの遂行に関するタスク遂行情報に加えて、一のユーザとは別の一以上のユーザによるタスクの遂行に関する他者情報を取得し、取得したタスク遂行情報及び他者情報に基づいて、出力条件が満たされるか否かを判断する、情報処理システムである。
【００１６】
かかる構成により、他者によるタスクの遂行に関する情報に基づいて、商品等を付与することができる。
【００１７】
また、本第六の発明の情報処理システムは、第一から五のいずれかの発明に対して、ユーザの抽選を行った抽選結果を取得する抽選結果取得部を備え、出力条件は、抽選に当選することを含む、情報処理システムである。
【００１８】
かかる構成により、ユーザの抽選結果に基づいて、商品等を付与することができる。
【００１９】
また、本第七の発明の情報処理システムは、第一から六のいずれかの発明に対して、付与部は、出力条件判断部により出力条件が満たされると判断された場合に、１以上の商品と引き換え可能なクーポン情報をユーザに出力することにより、ユーザに商品を取得可能な権利の付与を行うように構成されており、クーポン情報に基づいた商品の引き換えが行われた場合に、クーポン情報を使用不可能に設定するクーポン情報管理部をさらに備える、情報処理システムである。
【００２０】
かかる構成により、クーポン情報の付与を目標にユーザにタスクを遂行させることができる。
【００２１】
また、本第八の発明の情報処理システムは、第七の発明に対して、ユーザにより与えられたクーポン情報を取得するクーポン情報取得部と、取得されたクーポン情報に基づいて、商品の在庫管理を行う在庫管理部とをさらに備える、情報処理システムである。
【００２２】
かかる構成により、クーポン情報の使用状況に応じて商品の在庫管理を行うことができる。
【００２３】
また、本第九の発明の情報処理システムは、第七又は八の発明に対して、クーポン情報取得部により取得されたクーポン情報に基づいて、保管している商品をユーザに払い出す払出部をさらに備える、情報処理システムである。
【００２４】
かかる構成により、クーポン情報が使用されたときに保管している商品を払い出すことができる。
【００２５】
また、本第十の発明の情報処理システムは、第一から九のいずれかの発明に対して、回答取得部により取得された２以上の回答と、第一対応情報とに基づいた、回答を行ったユーザの病気の予防に関連する課題を示す課題情報をユーザに出力する課題情報出力部をさらに備える、情報処理システムである。
【００２６】
かかる構成により、病気の予防に関連する課題をユーザに意識させることができる。
【００２７】
また、本第十一の発明の情報処理システムは、第一から十のいずれかの発明に対して、タスク出力部は、ユーザが有する装置に搭載されている計測部により計測された計測値に基づく計測情報を取得し、取得した計測情報と、回答取得部により取得された２以上の回答と、第一対応情報と、第二対応情報とを用いて、タスク情報を出力する、情報処理システムである。
【００２８】
かかる構成により、ユーザにより適合したタスクを遂行させることができる。
【００２９】
また、本第十二の発明の情報処理システムは、第一から十一のいずれかの発明に対して、出力条件判断部は、ユーザが有する装置に搭載されている計測部により計測された計測値に基づく計測情報を取得し、取得した計測情報に基づいて、出力条件が満たされるか否かを判断する、情報処理システムである。
【００３０】
かかる構成により、ユーザが有する装置に搭載されている計測部により計測された計測値に基づいて、商品等を付与することができる。
【発明の効果】
【００３１】
本発明による情報処理システムによれば、病気の予防に関する課題をユーザに認識させるとともに、ユーザにタスクを遂行させる動機付けを行うことができる。
【図面の簡単な説明】
【００３２】
【図１】本発明の実施の形態の１つに係る情報処理システムの概要を示す図
【図２】同情報処理システムのブロック図
【図３】同情報処理装置のブロック図
【図４】同端末装置のブロック図
【図５】同情報処理装置の動作の一例を示すフローチャート
【図６】同情報処理装置のタスク登録処理の一例を示すフローチャート
【図７】同情報処理装置のタスク遂行情報取得処理の一例を示すフローチャート
【図８】同情報処理装置の付与処理の一例を示すフローチャート
【図９】同情報処理装置の動作の一例を示すフローチャート
【図１０】同情報処理システムにおけるＰＯＳサーバの動作の一例を示すフローチャート
【図１１】同情報処理装置において用いられる第一対応情報の一具体例を示す図
【図１２】同情報処理装置において用いられる第二対応情報の一具体例を示す図
【図１３】同情報処理装置において用いられる効果対応情報の一具体例を示す図
【図１４】同情報処理装置において用いられる知識対応情報の一具体例を示す図
【図１５】同情報処理装置において用いられるタスク遂行情報の一具体例を示す図
【図１６】同情報処理装置において用いられる実績情報の一具体例を示す図
【図１７】同情報処理装置において用いられるクーポン管理情報の一具体例を示す図
【図１８】同端末装置で動作するアプリケーションの画面遷移の一具体例について説明する図
【図１９】同端末装置で動作するアプリケーションの回答画面の一具体例について説明する図
【図２０】同端末装置で動作するアプリケーションのスコア表示画面の一具体例について説明する図
【図２１】同端末装置で動作するアプリケーションのタスク提示画面の一具体例について説明する図
【図２２】同端末装置で動作するアプリケーションの日常画面の一具体例について説明する図
【図２３】同端末装置で動作するアプリケーションのタスク表示画面の一具体例について説明する図
【図２４】同端末装置で動作するアプリケーションの知識表示画面の一具体例について説明する図
【図２５】同端末装置で動作するアプリケーションのランクアップ画面の一具体例について説明する図
【図２６】同端末装置で動作するアプリケーションのクーポン画面の一具体例について説明する図
【図２７】同端末装置で動作するアプリケーションの実績情報表示画面の一具体例について説明する図
【図２８】同端末装置で動作するアプリケーションのミッション画面などの一具体例について説明する図
【図２９】本実施の形態の一変形例に係る情報処理装置の付与処理の一例を示すフローチャート
【図３０】本実施の形態の一変形例にかかる情報処理システムの構成を示す図
【図３１】同情報処理システムのブロック図
【図３２】同変形例に係る情報処理システムにおける自動販売機の動作の一例を示すフローチャート
【図３３】同変形例にかかる情報処理システムにおける自動販売機が行う付与処理の一例を示すフローチャート
【発明を実施するための形態】
【００３３】
以下、情報処理システム等の実施形態について図面を参照して説明する。なお、実施の形態において同じ符号を付した構成要素は同様の動作を行うので、再度の説明を省略する場合がある。
【００３４】
なお、以下において用いる用語は、一般的には次のように定義される。なお、これらの用語の語義は常にここに示されるように解釈されるべきではなく、例えば以下において個別に説明されている場合にはその説明も踏まえて解釈されるべきである。
【００３５】
生活習慣とは、ユーザが日々の生活において繰り返して行っている行為や動作をいう。生活習慣としては、例えば、食事の回数や摂取量、栄養バランス、咀嚼状況、摂取時刻、間食の有無や頻度、外食の有無や頻度、飲酒の量や頻度、習慣にしている運動の有無、運動強度や運動の頻度、日常生活での活動量、喫煙の有無や喫煙歴、睡眠時間や睡眠の質などが挙げられる。
【００３６】
商品とは、価値を有する物である。例えば、商品には、食品や飲料などの飲食物やその他の有体物が含まれるほか、このような物と交換可能な商品券なども含まれうる。また、商品には、ユーザに対するサービスや、電子コンテンツ（例えば、音楽や画像、書籍等を鑑賞等することができるようにする情報などであるが、これに限られない）や、金銭的価値を有するポイントなどを示すデータなどの無体物も含まれうる。
【００３７】
未病領域とは、病気の予防診断（人間の健康や病気の予防などに関する診断）に関連がある事項をいう。このような事項としては、例えば、体脂肪、血圧、血糖、及びコレステロールなどの項目である。なお、未病領域を示す項目としては、上記に挙げたものに限られず、例えば、中性脂肪、骨密度、筋量、認知機能、体温、歯の健康、腸やその他の内臓の健康、肌の健康、関節の機能、目の機能、精神的ストレス、ミネラルの摂取等、様々な項目が含まれうる。すなわち、未病領域を示す項目は、予防診断において参考にされる具体的な指標の有無にかかわらず、予防診断において考慮することができる項目であるということができる。
【００３８】
タスクとは、ユーザが取り組むべき行動又は動作や、それに取り組んだ結果として達成しているべき状態を示すものである。タスクは、例えば、食事に関するもの、生活習慣に関するもの、運動に関するものなどに分類されうる。タスクには、ユーザが取り組むべき所定の量（時間、回数、頻度、負荷の大きさ等であるが、これに限られない）に関する要素が含まれていてもよい。
【００３９】
ある事項について識別子とは、当該事項を一意に示す文字又は符号等である。識別子は、例えばＩＤであるが、対応する事項を識別しうる情報であれば種類は問わない。すなわち、識別子は、それが示すものそのものの名前であってもよいし、一意に対応するように符号等を組み合わせたものであってもよい。
【００４０】
取得とは、ユーザ等により入力された事項を取得することを含んでいてもよいし、自装置又は他の装置に記憶されている情報（予め記憶されている情報であってもよいし当該装置において情報処理が行われることにより生成された情報であってもよい）を取得することを含んでいてもよい。他の装置に記憶されている情報を取得するとは、他の装置に記憶されている情報をＡＰＩ経由などで取得することを含んでいてもよいし、他の装置により提供されている文書ファイルの内容（ウェブページの内容なども含む）についてスクレイピング等を行うことにより取得することを含んでいてもよい。また、画像ファイルについて光学式文字読み取りを行うことにより情報を取得することなど、元の情報に基づいてそれとは異なるフォーマットの情報を取得することを含んでいてもよい。
【００４１】
また、情報の取得には、いわゆる機械学習の手法を利用するようにしてもよい。機械学習の手法の利用については、例えば次のようにすることができる。すなわち、特定の種類の入力情報を入力とし、取得したい種類の出力情報を出力とする学習器を、機械学習の手法を用いて構成する。例えば、予め、入力情報と出力情報との組を２以上用意し、当該２組以上の情報を機械学習の学習器を構成するためのモジュールに与えて学習器を構成し、構成した学習器を格納部に蓄積する。なお、学習器は分類器ということもできる。なお、機械学習の手法としては、例えば、深層学習、ランダムフォレスト、ＳＶＲ等、問わない。また、機械学習には、例えば、ｆａｓｔＴｅｘｔ、ｔｉｎｙＳＶＭ、ｒａｎｄｏｍ  ｆｏｒｅｓｔ、ＴｅｎｓｏｒＦｌｏｗ等の各種の機械学習フレームワークにおける関数や、種々の既存のライブラリを用いることができる。なお、学習器は分類器ということもできる。
【００４２】
情報を出力するとは、ディスプレイへの表示、プロジェクタを用いた投影、プリンタでの印字、音出力、外部の装置への送信、記録媒体への蓄積、他の処理装置や他のプログラムなどへの処理結果の引渡しなどを含む概念である。具体的には、例えば、情報のウェブページへの表示を可能とすることや、電子メール等として送信することや、印刷するための情報を出力することなどを含む。
【００４３】
情報の受け付けとは、キーボードやマウス、タッチパネルなどの入力デバイスから入力された情報の受け付け、他の装置等から有線もしくは無線の通信回線を介して送信された情報の受信、光ディスクや磁気ディスク、半導体メモリなどの記録媒体から読み出された情報の受け付けなどを含む概念である。
【００４４】
情報処理装置等に格納されている各種の情報について、更新とは、格納されている情報の変更のほか、格納されている情報に新たな情報が追加されることや、格納されている情報の一部又は全部が消去されることなどを含む概念である。
【００４５】
（実施の形態）
本実施の形態において、情報処理システムは、２以上の各設問に対する回答を取得し、当該２以上の回答を用いて、ユーザのタスクを出力する。そして、タスクの遂行に関するタスク遂行情報を取得し、タスクの遂行に関する条件を含む所定の出力条件が満たされるか否かをタスク遂行情報に基づいて判断した結果に基づいて、ユーザに１以上の商品又は当該商品を取得可能な権利を付与する。以下、このように構成された情報処理システム１について説明する。
【００４６】
図１は、本発明の実施の形態の１つに係る情報処理システム１の概要を示す図である。
【００４７】
本実施の形態において、情報処理システム１は、情報処理装置１００と、端末装置６００と、販売情報登録システム７００とを備えている。情報処理装置１００と、端末装置６００とは、例えばローカルエリアネットワークやインターネットなどのネットワークを介して互いに通信可能である。また、販売情報登録システム７００は、情報処理装置１００に通信可能に接続されている。なお、販売情報登録システム７００は、情報処理装置１００や、端末装置６００などと同一のネットワークに接続されていることにより情報処理装置１００と通信可能であってもよい。情報処理システム１の構成はこれに限られるものではない。情報処理システム１に含まれるそれぞれの装置の数は問わないし、他の装置が情報処理システム１に含まれていてもよい。
【００４８】
販売情報登録システム７００は、いわゆる販売時点情報管理（ＰＯＳ）を実現可能に構成されている。本実施の形態において、販売情報登録システム７００は、複数のＰＯＳ端末７０１とＰＯＳサーバ７１０とを有している。
【００４９】
なお、図１においては、例えばいわゆるスマートフォンなどの携帯情報端末装置が端末装置６００として示されているが、端末装置６００として用いられるのはこれに限られない。例えば、タブレット型の情報端末装置、及びラップトップコンピュータなどのパーソナルコンピュータ（ＰＣ）などであってもよいし、これら以外の装置であってもよい。情報処理システム１のユーザは、端末装置６００を利用して、情報処理システム１を利用することができる。以下の例においては、端末装置６００として、スマートフォンなどの携帯情報端末装置が用いられることを想定して説明するが、これに限られるものではない。
【００５０】
図２は、同情報処理システム１のブロック図である。図３は、同情報処理装置１００のブロック図である。図４は、同端末装置６００のブロック図である。
【００５１】
図２に示されるように、ＰＯＳサーバ７１０は、各ＰＯＳ端末７０１と通信可能に接続されている。販売情報登録システム７００は、例えば複数の店舗にそれぞれ配置されたＰＯＳ端末７０１から、販売に関する情報や商品の在庫等に関する情報がＰＯＳサーバ７１０に送信されて、ＰＯＳサーバ７１０でこれらの情報に基づいた集計、分析、発注等、種々の処理を行うことができるようになっている。販売情報登録システム７００は、例えば、公知の機器構成を有するものである。
【００５２】
ＰＯＳ端末７０１は、例えば、公知のＰＯＳシステム対応の金銭登録機（レジ）であったり、ＰＯＳシステムを利用するためのソフトウェアがインストールされているＰＣや携帯情報端末装置などであるが、これに限られない。ＰＯＳ端末７０１は、例えば、画像を読み取り可能な読取装置（図示せず）を付帯的に用いることができるように構成されているが、これに限られない。読取装置は、例えば、画像を撮影可能なカメラであってもよいし、バーコードや二次元コード、多次元コードなどを読み取り可能なコードリーダーであってもよい。
【００５３】
ＰＯＳサーバ７１０は、ＰＯＳ格納部７１１と、ＰＯＳ受信部７２０と、ＰＯＳ処理部７４０と、ＰＯＳ処理部７４０を備える。ＰＯＳサーバ７１０は、例えば一般的な構成を有するサーバ装置であるが、これに限られず、他の形態の電子計算機であってもよいし、複数の装置が互いに接続されて実現される装置であってもよい。ＰＯＳサーバ７１０は、ネットワークに接続可能であり、ネットワークに接続されている他の装置との間での通信を行えるように構成されている。
【００５４】
ＰＯＳ格納部７１１は、在庫情報格納部７１２を有している。在庫情報格納部７１２には、販売情報登録システム７００で取り扱われる各商品について在庫数等の在庫情報が格納されている。
【００５５】
ＰＯＳ受信部７２０は、ＰＯＳ端末７０１から送信された情報を受信する。また、ＰＯＳ受信部７２０は、情報処理装置１００から送信された情報を受信する。ＰＯＳ受信部７２０は、受信した情報を、例えばＰＯＳ格納部７１１に蓄積する。
【００５６】
ＰＯＳ送信部７７０は、例えば、ＰＯＳ端末７０１や、情報処理装置１００に、情報を送信する。
【００５７】
ＰＯＳ処理部７４０は、在庫管理部７４１とＰＯＳクーポン情報取得部７４２とを備える。ＰＯＳ処理部７４０は、例えば情報の取得などを行う。
【００５８】
在庫管理部７４１は、在庫情報の管理を行う。例えば、ＰＯＳ端末７０１から商品が販売されたという情報や、各店舗における店舗在庫情報等が送信された場合に、それに基づいて、在庫情報を更新する。また、商品が入荷した場合などに、その情報に基づいて在庫情報を更新する。本実施の形態において、在庫管理部７４１は、ＰＯＳクーポン情報取得部７４２により取得されたクーポン情報に基づいて、商品の在庫管理を行う。例えば、在庫管理部７４１は、クーポン情報に基づいて、クーポン情報に対応する商品が所定数だけ引き換えられたとき、当該商品数だけ、商品の在庫数を削減する。
【００５９】
ＰＯＳクーポン情報取得部７４２は、例えば、各ＰＯＳ端末７０１において読取装置などを用いて入力されたクーポン情報を取得する。ここでクーポン情報は、例えば、１以上の商品と引き換え可能な情報であり、例えば、クーポンを識別するためのクーポン識別子を含むものである。なお、クーポン情報は、クーポン識別子の他に、例えば引き換え可能な商品を識別する商品識別子や有効期限を示す情報等を含んでいてもよいし、クーポン識別子のみを含んでいてもよい。クーポン識別子は、例えば個々のクーポン情報を識別可能なものであるが、これに限られない。例えば、クーポン識別子は、クーポンの内容（どの商品を識別可能であるかとか、クーポンが付与されたキャンペーンを特定する情報とか）毎にクーポンを識別可能なものであってもよい。すなわち、同一のクーポン識別子を有する複数のクーポン情報が発行されていてもよい。
【００６０】
図３に示されるように、情報処理装置１００は、格納部１１０、受信部１２０、受付部１３０、処理部１４０、及び送信部１７０を備える。情報処理装置１００は、例えば、サーバ装置である。
【００６１】
格納部１１０は、対応情報格納部１１１及びユーザ情報格納部１１５を備える。
【００６２】
対応情報格納部１１１には、生活習慣に関するアンケートに含まれる２以上の各設問と、病気の予防診断に関連のある項目を識別する１又は２以上の未病領域識別子との対応関係を示す第一対応情報が格納される。本実施の形態において、生活習慣に関するアンケートは、例えば、ユーザの生活習慣や行動などに関する設問について、予め用意された選択肢の中から択一的に回答を求めるものである。各設問は、１又は２以上の未病領域に関連するものとして予め作成されて、当該未病領域に関する未病領域識別子に対応付けられて第一対応情報として記録されている。なお、２以上の設問のうちいずれか１つ以上に対応付けられている未病領域識別子の数は、２以上である。
【００６３】
本実施の形態において、第一対応情報は、各設問について、当該設問に対応する回答内容毎に、対応する１又は２以上の未病領域識別子毎のスコアを特定可能に構成されている。すなわち、例えば、ある設問について第一選択肢と第二選択肢との二者択一の回答が可能であり、当該設問について第一未病領域識別子と第二未病領域識別子とが対応付けられている場合を想定する。この場合に、第一選択肢の回答に対しては第一未病領域識別子についてのスコアが第一の値であって第二未病領域識別子についてのスコアが第二の値であり、第二選択肢の回答に対しては第一未病領域識別子についてのスコアが第三の値であって第二未病領域識別子についてのスコアが第四の値というように、特定できるようになっている。これは、第一対応情報において、上記の例における第一の値から第四の値がそのまま、各設問についての回答及び未病領域識別子に対応して記録されていることにより実現されてもよい。また、第一対応情報において、各設問についての回答と未病領域識別子とに所定のパラメータが対応付けられており、そのパラメータに基づいてスコアを算出可能に構成されていてもよい。
【００６４】
なお、アンケートの形式は、各設問について複数の選択肢を同時に選択する回答を許容可能なものや、ユーザによる自由記述形式の回答を許容可能なものなどであってもよい。
【００６５】
また、対応情報格納部１１１には、２以上の未病領域識別子のそれぞれと１以上のタスクとの対応関係を示す第二対応情報が格納される。本実施の形態において、第二対応情報は、複数のタスクのそれぞれを示すタスク識別子について、当該タスクに関連する未病領域識別子が、１又は２以上対応付けられている。タスクは、予め作成されたものである。例えば、当該タスクを遂行することを継続的に行うことにより、タスクを行ったユーザにおいて特定の１又は２以上の未病領域についての改善が見込まれるようなタスクが予め作成されて、当該未病領域に関する未病領域識別子に対応付けられて、第二対応情報として記録されている。なお、第二対応情報は、２以上の各未病領域識別子のスコアと１以上のタスクとの対応関係を示すものであってもよい。
【００６６】
また、対応情報格納部１１１には、タスクと、商品を識別する商品識別子との対応関係を示す第三対応情報が格納される。本実施の形態において、第三対応情報は、例えば、タスクを識別するタスク識別子と商品識別子とが予め対応付けられているものである。なお、本実施の形態において、後述する出力条件は、タスクの遂行に関する条件を含んでいる。そのため、第三対応情報は、出力条件と商品識別子との対応関係を示すものであるということもできる。なお、第三対応情報は、アンケートに含まれる設問又は１以上の未病領域識別子と商品識別子との対応関係が規定されているものであってもよい。
【００６７】
なお、第一対応情報、第二対応情報、及び第三対応情報のそれぞれの形式は問わない。対応情報格納部１１１に格納されている情報の少なくとも一部分を、第一対応情報、第二対応情報、又は第三対応情報として捉えることができればよい。例えば、それぞれの情報は、単独のテーブルなどとして格納されていてもよい。また、互いに関連する複数のテーブルが格納されており、そのうち１つのテーブルにより示される情報又は２以上のテーブルを組み合わせた情報が、第一対応情報、第二対応情報、又は第三対応情報として捉えられるようになっていてもよい。
【００６８】
ユーザ情報格納部１１５は、ユーザ情報が格納される。本実施の形態において、ユーザ情報は、情報処理システム１を利用するユーザを識別するユーザ識別子と、当該ユーザに関する情報とが対応付けられている情報である。ユーザ情報には、種々の情報が含まれうる。例えば、ユーザに対応するタスクの遂行状況に関する情報や、ユーザに対応付けて出力されたタスク（ユーザが遂行させるタスク）のタスク識別子や、アンケートについてユーザが行った回答や、当該回答を用いて取得されたスコアに関する情報等が含まれうる。
【００６９】
受信部１２０は、他の装置から送信された情報を受信する。受信部１２０は、受信した情報を、例えば、格納部１１０に保存する。本実施の形態において、ユーザは、例えば、端末装置６００を用いて各設問に対する回答を作成し、情報処理装置１００に送信する。受信部１２０は、送信された各回答を、ユーザ識別子に対応付けて格納部１１０に保存することができる。また、後述するように、本実施の形態において、各端末装置６００から送信された計測値又は当該計測値に基づく計測情報を受信し、ユーザ識別子に対応付けて格納部１１０に保存することができる。なお、受信部１２０は、端末装置６００からこれらの情報を受信する場合に、送信された情報に基づいて、送信に係るユーザのユーザ識別子を特定可能である。
【００７０】
受付部１３０は、情報処理装置１００に接続された図示しない入力手段を用いて入力された情報を受け付ける。受付部１３０は、受け付けた情報を、例えば、格納部１１０に保存する。なお、入力手段は、テンキーやキーボードやマウスやメニュー画面によるもの等、何でもよい。受付部１３０は、情報処理装置１００に接続された読み取り装置（例えば、コードリーダなど）を用いて行われた入力操作（例えば、装置により読み取られた情報も含む）により入力された情報を受け付けてもよい。
【００７１】
なお、受付部１３０は、受信部１２０が受信した情報を、情報処理装置１００に入力された情報として受け付けると捉えてもよい。すなわち、情報処理装置１００への情報の入力とは、これらの情報が端末装置６００等を介してユーザによって間接的に情報処理装置１００に入力されることを意味すると解釈してもよいし、ユーザによって、入力手段を用いて直接的に情報処理装置１００に入力されることを意味すると解釈してもよい。また、ユーザが、情報を自動的に生成するプログラムを実行させたり種々の情報をプログラムに与えて機能させたりすることなどによって情報処理装置１００に情報が与えられるようにすることを、情報処理装置１００への情報の入力と捉えてもよい。
【００７２】
処理部１４０は、回答取得部１４１、タスク出力部１４３、出力条件判断部１４５、付与部１４７、課題情報出力部１４９、クーポン情報管理部１５１、及び抽選結果取得部１５３を備える。処理部１４０は、各種の処理を行う。各種の処理とは、例えば、以下のように処理部１４０の各部が行う処理である。
【００７３】
回答取得部１４１は、生活習慣に関するアンケートに含まれる２以上の各設問に対する回答を取得する。本実施の形態において、回答取得部１４１は、上述のようにしてユーザ識別子に対応付けられて格納部１１０に格納されている回答を取得する。
【００７４】
タスク出力部１４３は、回答取得部１４１により取得された２以上の回答と、対応情報格納部１１１に格納されている第一対応情報及び第二対応情報を用いて、回答を行ったユーザに遂行させるタスクを選択する。そして、タスク出力部１４３は、選択したタスクに関するタスク情報を出力する。タスク情報は、例えば、そのタスクのタスク識別子と、そのタスクのその他の情報とを対応付けた情報である。タスク情報は、例えば、タスクの説明文や、タスクが対応する未病領域識別子を含みうる。
【００７５】
具体的には、本実施の形態において、タスク出力部１４３は、まず、取得された２以上の回答と、第一対応情報とを用いて、２以上の未病領域識別子のそれぞれに対応するスコアを取得する。例えば、各設問に対する回答について特定できたスコアを、未病識別子毎に、全ての回答について合算することにより、スコアを取得することができるが、取得方法はこれに限られない。取得したスコアは、例えば、回答を行ったユーザを示すユーザ識別子に対応付けて、ユーザ情報格納部１１５に蓄積される。
【００７６】
次に、タスク出力部１４３は、取得した各未病領域識別子のスコアと、第二対応情報とを用いて、回答を行ったユーザに遂行させるタスクに対応するタスク情報を出力する。タスクの選択は、例えば、第二対応情報に基づいて、スコアが最も高い一の未病領域識別子に対応するタスクを選択することや、スコアが所定値よりも高い１又は２以上の未病領域識別子に対応するタスクを選択することや、スコアが所定値よりも低い１又は２以上の未病領域識別子に対応するもの以外のタスクを選択することや、これらの方法などにより選択された複数のタスクから所定数のタスクを選択することなどにより行うことができる。また、タスク情報の出力は、例えば、送信部１７０を用いて、回答を行ったユーザのユーザ識別子に対応する端末装置６００にタスク情報を送信し、端末装置６００のディスプレイ等に表示させることなどにより行うことができるが、これに限られない。例えば、ユーザのメールアドレス等を取得してタスク情報を含む電子メールを送信することにより行われてもよいし、情報処理装置１００のディスプレイ（図示せず）などに表示することにより行われてもよい。
【００７７】
なお、本実施の形態においてタスク出力部１４３は、ユーザが有する端末装置６００に搭載されている計測部６８０により計測された計測値に基づく計測情報を取得し、取得した計測情報をさらに用いてタスク情報を出力するように構成されていてもよい。例えば、計測情報としてユーザの活動量（消費された熱量や、歩数など、種々の指標をいう）が取得されている場合において、タスク出力部１４３が、当該計測情報を用いてタスクの選別を行い、選択対象として選別されたタスクの中から、第二対応情報と各未病領域識別子のスコアとに基づいてタスクを選択するようにしてもよい。このような場合には、例えば、第二対応情報に含まれるタスクのそれぞれについて、選択対象として選別されるための活動量に関する基準値などが予め設定されていればよい。また、例えば、タスク出力部１４３が、第二対応情報と各未病領域識別子のスコアとに基づいて上述のように抽出した複数のタスクを選択対象として、計測情報に基づいてタスクを選択するようにしてもよい。このような場合には、例えば、第二対応情報に含まれるタスクのそれぞれについて、対象ユーザを限定する情報が予め対応付けられていればよい。ここで、対象ユーザを限定する情報とは、例えば、消費された熱量が少なめの人向けのタスクであることを示す情報とか、歩数が所定値以下の人向けのタスクであることを示す情報などが挙げられる。このように、ユーザが有する装置の計測値に基づく計測情報を踏まえてタスクが選択されることにより、よりユーザに適したタスクを選択し、ユーザにタスク情報を出力することができる。なお、計測値は、端末装置６００において計測されたもの限られず、例えば、ユーザが有するその他の装置の計測部により計測され、当該装置から送信されたものであってもよい。例えば、ユーザが着用するいわゆるウェアラブル端末である装置から送信されたものであってもよい。
【００７８】
このようにタスク情報が出力されると、ユーザは、出力されたタスクを、自身が遂行すべきタスクとして登録することができる。なお、出力されたタスクは、ユーザの操作に基づいて登録されるようにしてもよいし、ユーザの操作に基づかずに自動的に登録されるようにしてもよい。ユーザの操作に基づいてタスクが登録される場合には、ユーザは、出力されたタスクが２以上ある場合は、１以上のタスクを指定して登録することができるようにしてもよい。ユーザが登録しているタスクを示すタスク識別子は、例えば、ユーザ識別子に対応付けて、ユーザ情報格納部１１５に蓄積されている。ユーザは、このようにして登録されているタスクについて、遂行することができる。
【００７９】
出力条件判断部１４５は、出力されたタスク情報に対応するタスクの遂行に関するタスク遂行情報を取得する。そして、取得したタスク遂行情報に基づいて、所定の出力条件が満たされるか否かを判断する。所定の出力条件とは、タスクの遂行に関する条件を含むものであり、例えば、予め格納部１１０に格納されているものである。出力条件は、個々のユーザ毎に異なりユーザ識別子に対応付けられているものであってもよいし、複数のユーザに共通して用いられるものであってもよい。出力条件は、所定のタイミングが到来した場合に変更されてもよい。所定のタイミングとは、例えば、出力条件が満たされると判断されたタイミングや、所定の日時が到来したタイミングなどであるが、これらに限られない。
【００８０】
本実施の形態において、出力条件判断部１４５は、一のユーザによるタスクの遂行に関するタスク遂行情報に加えて、一のユーザとは別の一以上の他のユーザによるタスクの遂行に関する他者情報（すなわち、他のユーザのタスク遂行情報）を取得する。そして、出力条件判断部１４５は、取得したタスク遂行情報及び他者情報に基づいて、出力条件が満たされるか否かを判断する。すなわち、本実施の形態において、出力条件は、他者情報に関連する条件を含む。
【００８１】
また、本実施の形態において、出力条件判断部１４５は、後述のように抽選結果取得部１５３により取得された、ユーザの抽選に関する抽選結果に基づいて、出力条件が満たされるか否かを判断する。すなわち、本実施の形態において、出力条件は、例えば、抽選に当選することを含む。
【００８２】
ここで、ユーザ又は他のユーザのタスク遂行情報の取得は、例えば種々の方法により行われうる。本実施の形態においては、例えば、ユーザの入力操作に応じて、タスク遂行情報が取得される。例えば、ユーザが所有する端末装置６００を用いて、タスクを遂行したことを登録する入力操作が行われた場合に、受信部１２０がその旨を示す情報を受信する。この情報には、入力操作に対応するタスクのタスク識別子が含まれる。そうすると、受信部１２０は、ユーザ識別子とタスク識別子を対応付けて格納部１１０に蓄積する。出力条件判断部１４５は、このようにして格納部１１０に格納された情報を、タスク遂行情報として取得することができる。なお、例えば、端末装置６００から送信された計測値や計測情報に応じて、タスク遂行情報が取得されるようにしてもよい。この場合に、例えば、出力条件判断部１４５は、計測値や計測情報に基づいて、ユーザ識別子に対応付けられて登録されているタスクが遂行されたか否かを判断し、その判断結果を、当該タスクに関するタスク遂行情報として取得することができる。
【００８３】
なお、本実施の形態において、ユーザによるタスクを遂行したことを登録する入力操作は、一のタスクについて、所定期間において所定の回数（例えば、１日につき１回などであるが、１週間に２回など、適宜設定されていればよい）のみ受け付けられるように構成されていてもよい。このような入力頻度に関する要件は、タスク毎に異なっていてもよい。これにより、不正な入力が行われることにより大きな影響が及ぶことを防止することができる。また、ユーザにタスクを習慣的に遂行させることで、大きな負荷をかけないようにしつつ、日常の習慣を改善させることができる。
【００８４】
本実施の形態において、出力条件は、種々の態様で設定されればよい。出力条件は、一の観点に関する条件のみを含むものであってもよい。また、出力条件は、一の観点に関する複数の条件のうち一部の条件が満たされることであってもよいし、一の観点に関する複数の条件のうち全ての条件が満たされることであってもよい。
【００８５】
出力条件に含まれるタスクの遂行に関する条件は、例えば、タスクの遂行の回数に関する条件であってもよい。すなわち、例えば、特定のタスクを遂行した通算回数が所定回数に達したことや、いずれのタスクであるかを問わず、タスクを遂行した通算回数が所定回数に達したことなどが出力条件として設定されていてもよい。また、タスクの遂行の回数に関する条件であって他者情報に関連するものとして、例えば、特定のタスクを遂行した通算回数について、全てのユーザ中の順位が所定の順位より上であったり、全てのユーザのうち上位の所定割合に含まれることなどが、出力条件として設定されていてもよい。タスクが遂行される度に、タスクの遂行に関する条件が満たされたと判断されるようにしてもよい。また、特定のタスク又は全てのタスクについての遂行回数がゼロであることが条件とされていてもよい。
【００８６】
また、出力条件に含まれるタスクの遂行に関する条件は、例えば、遂行したタスクに応じて算出される獲得ポイントに関する条件であってもよい。この場合、獲得ポイントは、例えば、タスクが遂行される度に、タスク識別子に対応付けられている未病領域識別子毎に、所定数のポイントが加算される。すなわち、例えば、所定の未病領域識別子についての獲得ポイントが所定の閾値に達することや、全ての獲得ポイントが所定の閾値に達することなどが出力条件として設定されていてもよい。獲得ポイントに関する条件であって他者情報に関連するものとしては、例えば、所定の未病領域識別子の獲得ポイントについて、全てのユーザ中の順位が所定の順位より上であったり、全てのユーザのうち上位の所定割合に含まれることなどが、出力条件として設定されていてもよい。なお、未病領域識別子とは関係なく獲得ポイントが加算されるようにしてもよいし、予め設定されたタスク遂行の難易度やタスク遂行に関する時間等に応じて加算されるポイントの数が変化するようにしてもよい。また、獲得ポイントは、ユーザ識別子に対応付けてユーザ情報格納部１１５に格納され、タスクが遂行される度に更新されるようにしてもよい。この場合、ユーザ情報格納部１１５に格納された獲得ポイントの積算値は、実績情報と呼ぶことができる。実績情報は、ユーザ識別子に対応付けてユーザ情報格納部１１５に蓄積された情報であるといえる。なお、実績情報を蓄積せず、出力条件に関する判断が行われる度にこれまでのタスク遂行情報に基づいて処理部１４０により獲得ポイントを算出するように構成されていてもよい。
【００８７】
なお、本実施の形態において、出力条件は、ユーザによる回答内容に対応する条件を含んでいてもよい。この場合、２以上の各未病領域識別子に対応するスコアに関する条件が出力条件に含まれていてもよい。例えば、回答に基づいてタスク出力部１４３により取得された、ユーザ毎のスコアであって未病領域識別子毎のスコアに基づいて、出力条件が満たされるか否かが判断されるようにしてもよい。すなわち、例えば、一の未病領域識別子のスコアが第一所定値以上であることや、一の未病領域識別子のスコアが第一所定値以上であって他の一の未病領域識別子のスコアが第二所定値所定値以下であることなどといった条件が、出力条件として設定されていてもよい。また、一のユーザにおいて、２以上の未病領域識別子のうち、最も高いスコアが得られた未病領域識別子が所定の未病領域識別子と一致することというような条件（例えば、ユーザにとって当該未病領域に関するリスクが高いことを意味する）が、出力条件として設定されていてもよい。また、２以上の設問のうち、所定の設問についての回答の内容が所定の項目に一致することというような条件が、出力条件として設定されていてもよい。具体的には、例えば、ユーザが気になっている未病領域に関する設問に対する回答内容が、所定の未病領域に対応する回答内容に一致することや、ユーザの生活習慣や行動に関する設問に対する回答内容が、所定の習慣又は行動に対応するものであること（例えば、飲料を採ることが少ないなど）などが、出力条件として設定されていてもよい。
【００８８】
なお、本実施の形態において、抽選に当選することに関する当選者条件が出力条件に含まれているが、他の条件が満たされたことを前提として、この当選者条件が満たされるか否かが判断されるようにしてもよいし、他の条件が満たされたことを前提とせずに、独立して行われた抽選の結果に基づいて当選者条件が満たされるか否かが判断されるようにしてもよい。例えば、抽選結果取得部１５３は、当該他の条件が満たされたと判断された場合において、抽選結果を取得し、当選であれば、出力条件判断部１４５により出力条件が満たされたと判断されるようにしてもよい。具体的には、例えば、タスクの遂行回数が所定回数以上のユーザを対象にした抽選の抽選結果を抽選結果取得部１５３が取得し、出力条件の判断対象となるユーザが当選していれば、出力条件が満たされたと判断されるようにしてもよい。他方、例えば、抽選結果取得部１５３により取得された抽選結果が当選である場合に、他の条件も満たされると判断されれば、出力条件判断部１４５により出力条件が満たされたと判断されるようにしてもよい。具体的には、例えば、全ユーザを対象とした抽選の抽選結果が取得されるとともに、タスクの遂行回数が所定回数以上であるか否かが判断されるようにし、出力条件の判断対象となるユーザが当選しており、かつ、タスクの遂行回数が所定回数以上であれば、出力条件が満たされたと判断されるようにしてもよい。
【００８９】
また、他の条件が満たされるか否かにかかわらず、当選者条件が満たされるか否かが判断されるようにしてもよい。例えば、抽選結果取得部１５３は、判断対象となるユーザが、取得された抽選結果において当選していれば、他の条件が満たされるか否かにかかわらず、出力条件判断部１４５により出力条件が満たされたと判断されるようにしてもよい。例えば、管理者等により事前に行われた抽選や選定の結果の入力が受付部１３０により受け付けられ、抽選結果取得部１５３が当該受付結果を抽選結果として取得した場合において、出力条件の判断対象となるユーザが当選していれば、出力条件が満たされたと判断されるようにすればよい。
【００９０】
なお、タスクの遂行に関する条件を含む出力条件の他に、タスクの遂行に関する条件を含まない第２条件が設定されていてもよい。この場合、第２条件が満たされたときに、出力条件判断部１４５により出力条件が満たされると判断されたとみなすようにしてもよい。第２条件としては、例えば、情報処理システム１のユーザとして初めて登録することや、アンケートに回答したことなどに関する条件が含まれていてもよい。このように第２条件を設定することにより、ユーザに情報処理システム１を利用する動機付けを与えることができ、タスクを遂行させる動機付けを効果的に行うことができる。なお、例えば、情報処理システム１のユーザとして初めて登録することというような第２条件は、タスクの遂行回数がゼロであることというような、タスクの遂行に関する条件を含む出力条件として捉えてもよい。
【００９１】
なお、本実施の形態において、出力条件判断部１４５は、ユーザが有する端末装置６００において計測された計測値に基づく計測情報を取得し、取得した計測情報に基づいて、出力条件が満たされるか否かを判断するようにしてもよい。すなわち、この場合、出力条件は、計測情報に関連する条件を含むといえる。具体的には、例えば、歩数が所定値以上であることが出力条件として含まれていてもよい。
【００９２】
付与部１４７は、出力条件判断部１４５により出力条件が満たされると判断された場合に、ユーザに１以上の商品を取得可能な権利を付与する。商品を取得する権利を付与するとは、例えば、ユーザが最終的に商品を得ることができるように、種々の情報を出力等することをいう。本実施の形態においては、付与部１４７は、出力条件判断部１４５により出力条件が満たされると判断された場合に、１以上の商品と引き換え可能なクーポン情報をユーザに出力することにより、ユーザに商品を取得可能な権利の付与を行うように構成されている。ここで、クーポン情報は、例えば、上述のように、ＰＯＳ端末７０１の読取装置により読み取り可能なものであるが、これに限られない。
【００９３】
なお、クーポン情報の出力のほか、ユーザに商品を取得可能な権利を付与することは、例えば次のように行うようにしてもよい。すなわち、例えば、付与部１４７は、付与対象となるユーザを特定するための情報をＰＯＳサーバ７１０に送信してＰＯＳ端末７０１を用いて当該情報を店舗等において確認することができるようにしたり、その他の通信手段により送信して店舗等において確認することができるようにしたりしてもよい。また、付与部１４７は、ユーザが所属する組織における管理部門等に情報を送信することにより、当該管理部門からユーザに商品が引き渡されるようにしたりしてもよい。また、付与部１４７は、ユーザに対して、商品の発送を受けるための情報の入力を求める連絡を行うようにしてもよい。
【００９４】
なお、付与部１４７は、商品を取得可能な権利に代えて、商品そのものをユーザに付与可能に構成されていてもよい。例えば、付与部１４７は、ユーザの口座に関する情報（例えば、ユーザの銀行口座を示す情報であってもよいし、いわゆる電子マネーの出納が可能なアカウントを示す情報などであってもよい）を取得し、当該口座に、商品として金銭やポイント等を入金するようにしてもよい。また、付与部１４７は、電子コンテンツを視聴等するためのサービスにおけるユーザのアカウント情報を取得し、ユーザに対して商品である電子コンテンツなどを付与するようにしてもよい。また、後述するように、付与部１４７は、商品を商品庫から払い出すことが可能な装置を機能させるための情報を当該装置又はそれを制御する装置に対して送信し、当該装置にユーザに対して商品を払い出させることにより、商品を付与することができるようにしてもよい。
【００９５】
なお、本実施の形態において、付与部１４７は、第三対応情報を用いて１以上の商品識別子を取得し、取得した商品識別子に対応する商品又は商品を取得可能な権利（商品又は商品を取得可能な権利を、以下において、商品等ということがある）をユーザに付与するように構成されている。例えば、第三対応情報において１以上の未病領域識別子と商品識別子との対応関係が示されている場合に、付与部１４７は、タスク出力部１４３により取得された未病領域識別子毎のスコアに基づいて、スコアが最も高い未病領域識別子に対応する商品識別子を取得し、取得した商品識別子に対応する商品等をユーザに付与するように構成されている。なお、付与部１４７は、第三対応情報において１以上の未病領域識別子と商品識別子との対応関係が示されている場合に、タスク遂行情報に基づいて、遂行されたタスクに対応する未病領域識別子に対応する商品識別子を取得して商品等の付与を行うようにしてもよい。また、付与部１４７は、第三対応情報においてタスクと商品識別子との対応関係が示されている場合に、タスク遂行情報に基づいて、遂行されたタスクに対応する商品識別子を取得して商品等の付与を行うようにしてもよい。また、付与部１４７は、第三対応情報においてアンケートに含まれる所定の設問と商品識別子との対応関係が示されている場合に、当該所定の設問とその回答内容に基づいて、商品識別子を取得して商品等の付与を行うようにしてもよい。例えば、好みの飲料種を尋ねる設問に対して、ユーザが好む一の飲料種を示す回答が与えられた場合に、当該飲料種に対応するものとして予め設定された商品の商品識別子が付与部１４７によって取得されるように構成されていてもよい。
【００９６】
課題情報出力部１４９は、回答取得部１４１により取得された２以上の回答と、第一対応情報とに基づいた、回答を行ったユーザの病気の予防に関連する課題を示す課題情報をユーザに出力する。本実施の形態において、タスク出力部１４３により取得された、ユーザ毎のスコアであって未病領域識別子毎のスコアは、当該ユーザについての未病領域に関する状況を表す指標であるといえ、病気の予防に関連する課題を示す課題情報に関連するものであるといえる。課題情報出力部１４９は、ユーザ情報格納部１１５からユーザ識別子に対応するスコアを読み出すことで、課題情報をユーザに出力することができる。課題情報出力部１４９は、タスク出力部１４３により取得された未病領域識別子毎のスコアそのものを課題情報として出力してもよい。また、課題情報出力部１４９は、スコアを用いて、課題となる事項を説明するメッセージ等を課題情報として出力するように構成されていてもよい。この場合、例えば、各未病領域識別子に対応するスコアの分布状況とメッセージ等とが対応付けられたテーブル等の情報に基づいて、メッセージ等を出力することができる。
【００９７】
なお、課題情報の出力は、例えば、ユーザの端末装置６００に対して課題情報を送信することや、情報処理装置１００のディスプレイに課題情報を表示させることや、ユーザに対して電子メール等を送信することなど、種々の方法により行われうる。
【００９８】
クーポン情報管理部１５１は、クーポン情報が付与部１４７によって付与された場合に、当該クーポン情報に関する管理を行う。具体的には、例えば、クーポン情報管理部１５１は、格納部１１０に、発行されたクーポン情報を特定する情報（例えば、クーポン識別子）とそのクーポン情報が使用可能であるか否かを示す情報とを対応付けたテーブルを、クーポン管理情報として蓄積する。なお、このクーポン管理情報には、クーポン情報が付与されたユーザのユーザ識別子が対応付けられていてもよい。また、クーポン情報管理部１５１は、クーポン情報に基づいた商品の引き換え（クーポンの使用）が行われた場合に、クーポン情報を使用不可能に設定する。 クーポン情報を使用不可能に設定するとは、例えば、格納部１１０に蓄積されているクーポン管理情報において、当該クーポンに対応する情報に対応付けて使用済みであることを示す使用済フラグを立てることなどをいう。なお、クーポン管理情報において、クーポン情報が使用された日を当該クーポン情報に対応付けて記録することにより、使用済みであることが特定されるようにしてもよい。また、クーポン情報管理部１５１は、現在使用可能であるクーポン情報を特定するクーポン識別子を、クーポン管理情報であるリストとして格納部１１０に記憶させるように構成されていてもよい。この場合、例えば、クーポンが使用された場合には当該クーポンに対応するクーポン識別子をリストから削除することにより、クーポン情報を使用不可能に設定するようにしてもよい。
【００９９】
このようにしてクーポン情報管理部１５１が管理を行うことにより、他の装置（例えば、クーポン情報の提示を受けたＰＯＳ端末７０１など）が、各クーポン情報が使用可能なものであるか否かを容易に確認することができる。したがって、クーポン情報を用いた不当な商品の引き換えが行われることを防止することができる。
【０１００】
抽選結果取得部１５３は、ユーザについての抽選を行った抽選結果を取得する。抽選結果取得部１５３は、情報処理装置１００において行われた抽選の結果を取得するように構成されていてもよいし、他の装置において行われた抽選の結果を取得するように構成されていてもよい。また、抽選結果取得部１５３は、乱数を用いてランダムに選び出したユーザを当選とするように構成されているが、これに限られない。抽選は、ランダムに選び出す方法とは異なる方法によって行われると解釈してもよい。抽選結果取得部１５３は、例えば、所定の規則に従って選出されるユーザを当選とすることができるように構成されていてもよい。
【０１０１】
送信部１７０は、情報を、ネットワークを介して情報処理システム１を構成する他の装置に送信する。送信部１７０は、例えば、端末装置６００や、ＰＯＳサーバ７１０や、その他の装置に対して出力される情報の送信を行う。
【０１０２】
次に、端末装置６００の構成について説明する。
【０１０３】
図４に示されるように、端末装置６００は、端末格納部６１０、端末受信部６２０、端末受付部６３０、端末処理部６４０、端末出力部６６０、端末送信部６７０、及び計測部６８０を備える。
【０１０４】
端末格納部６１０は、クーポン情報格納部６１１及び計測情報格納部６１２を備える。
【０１０５】
クーポン情報格納部６１１には、クーポン情報が格納される。クーポン情報は、例えば、上述のようにして、情報処理装置１００の付与部１４７によってユーザに与えられたものである。ユーザは、例えば、クーポン情報格納部６１１に格納されているクーポン情報を端末装置６００のディスプレイに表示させたり、端末装置６００からＰＯＳ端末７０１に送信させたりすることにより、店舗等においてクーポン情報をＰＯＳ端末７０１に入力することができる。
【０１０６】
計測情報格納部６１２には、計測値又はそれに基づく計測情報が格納される。これらの情報は、例えば、計測部６８０により計測された情報であってもよいし、計測部６８０により計測された情報に基づいて演算等を行うことにより端末処理部６４０が取得した情報であってもよい。また、端末装置６００に対して通信可能に接続されたセンサ装置によって測定等が行われ、端末装置６００に送信された情報であってもよい。
【０１０７】
端末受信部６２０は、情報処理装置１００や、その他の装置から送信された情報を、ネットワークを介して受信する。端末受信部６２０は、受信した情報を、例えば端末格納部６１０に蓄積し、端末処理部６４０などが取得できるようにする。
【０１０８】
端末受付部６３０は、端末装置６００を使用するユーザによる、端末装置６００に対する種々の入力操作を受け付ける。操作は、例えば、図示しない入力装置を用いて行われるが、これに限られない。端末受付部６３０は、例えば、マイクにより入力された音声による入力操作を受け付けるようにしてもよい。
【０１０９】
端末処理部６４０は、端末装置６００の各部を用いて、種々の情報処理動作を行う。
【０１１０】
端末出力部６６０は、例えばディスプレイデバイスに表示することなどにより、情報の出力を行う。なお、情報の出力方法はこれに限られず、音声等をスピーカーなどから出力することなどにより行われるようにしてもよい。
【０１１１】
端末送信部６７０は、例えば端末処理部６４０等により取得した情報をネットワークを介して送信する。
【０１１２】
計測部６８０は、例えば、加速度センサや気圧センサ等である。計測部６８０は、計測事項について計測を行い、得られた計測値を出力する。計測値やそれに基づいて取得された計測情報が、計測情報格納部６１２に蓄積される。ここで、計測値は、例えば加速度センサにより取得された加速度の推移を示す値や、気圧センサにより取得された気圧の推移を示す値などであるが、これに限られない。計測部６８０には、例えば、脈拍センサや、照度センサや、カメラや、マイクや、ＧＰＳなどにより位置を特定可能な位置情報センサなどが含まれてもよい。また、計測部６８０は、時間の経過を計測するタイマ等であってもよい。すなわち、計測部６８０により得られた計測値に基づいて取得可能な計測情報は、例えば、消費された熱量や、歩数などのユーザの活動量に関するものであってもよいし、ユーザの起床時刻、就寝時刻や、通勤時間など、ユーザの生活習慣に関するものであってもよいし、ユーザが生活する地域や、気候や、騒音環境など、ユーザの生活環境に関するものであってもよい。
【０１１３】
次に、本実施の形態に係る情報処理システム１をユーザが用いる際に行われる情報処理装置１００の動作の一例について説明する。本実施の形態において、ユーザは、例えば、端末装置６００を介して情報処理装置１００にアクセスを行ったり情報処理装置１００から送信される情報を受信したりしながら、端末装置６００において所定のアプリケーションを動作させることにより、情報処理システム１を利用することができる。なお、所定のアプリケーションとは、例えば、情報処理装置１００から送信される情報を用いて動作する専用のアプリケーションであってもよいし、情報処理装置１００において提供されるウェブアプリケーションを使用可能に表示等するウェブブラウザ等であってもよい。
【０１１４】
図５は、同情報処理装置１００の動作の一例を示すフローチャートである。
【０１１５】
情報処理装置１００は、例えば以下のようにして種々の動作を行う。図５においては、ユーザが携帯端末６００を用いてタスクの登録を行ったりタスク遂行情報を送信したりする場合における情報処理装置１００の動作の一例が示されている。
【０１１６】
（ステップＳ１０１）ユーザは、携帯端末６００を用いて、例えば所定のアプリケーションを機能させると、携帯端末６００から情報処理装置１００に、例えばユーザ識別子を含む情報が送信される。そうすると、受信部１２０が受信したユーザ識別子に基づいて、処理部１４０は、ユーザを識別し、ユーザ情報格納部１１５からユーザ情報を取得する。
【０１１７】
（ステップＳ１０２）処理部１４０は、タスク登録を行うか否かを判断する。例えば、処理部１４０は、携帯端末６００を介してユーザがタスク登録を行う旨の操作を行った場合には、タスク登録を行うと判断する。なお、処理部１４０は、取得したユーザ情報に基づいて、タスク登録が行われていないユーザであると判断した場合は、タスク登録を行うと判断するようにしてもよい。タスク登録を行うと判断された場合はステップＳ１０３に進み、そうでない場合はステップＳ１０４に進む。
【０１１８】
（ステップＳ１０３）処理部１４０は、タスク登録処理を行う。タスク登録処理の詳細については、後述する。タスク登録処理が終了すると、ステップＳ１０４に進む。
【０１１９】
（ステップＳ１０４）処理部１４０は、ユーザ識別子に対応するタスク情報を取得して出力する。例えば、ユーザ識別子に基づいて、当該ユーザについての現在登録されているタスクのタスク情報が出力される。出力は、例えば、端末装置６００のディスプレイにタスク情報を表示させるための情報を端末装置６００に送信することにより行われるが、これに限られない。
【０１２０】
（ステップＳ１０５）処理部１４０は、タスク遂行情報取得処理を行う。タスク遂行情報取得処理については、後述する。タスク遂行情報取得処理が終了すると、ステップＳ１０６に進む。
【０１２１】
（ステップＳ１０６）処理部１４０は、付与フラグが立っているか否かを判断する。付与フラグが立っている場合はステップＳ１０７に進み、そうでない場合はステップＳ１０９に進む。
【０１２２】
（ステップＳ１０７）処理部１４０は、付与処理を行う。付与処理の詳細については、後述する。付与処理により、ユーザに例えばクーポン情報など、商品等が付与される。付与処理が終了すると、ステップＳ１０８に進む。
【０１２３】
（ステップＳ１０８）処理部１４０は、付与フラグを取消す。また、本実施の形態において、処理部１４０は、付与実績を記録する。付与実績は、例えば、格納部１１０に蓄積されるようにすればよい。なお、付与実績の記録は行われなくてもよい。
【０１２４】
（ステップＳ１０９）処理部１４０は、アプリケーションが終了したか否かを判断する。アプリケーションが終了した場合は一連の処理を終了する。そうでない場合は、ステップＳ１０１に戻る。
【０１２５】
図６は、同情報処理装置１００のタスク登録処理の一例を示すフローチャートである。
【０１２６】
（ステップＳ１２１）処理部１４０は、ユーザが行った回答を取得する。
【０１２７】
（ステップＳ１２２）処理部１４０は、回答から各未病領域識別子のスコアを算出する。
【０１２８】
（ステップＳ１２３）処理部１４０は、各未病領域識別子のスコアに基づいて、タスクを取得する。
【０１２９】
（ステップＳ１２４）処理部１４０は、課題情報をユーザに提示する。また、処理部１４０は、取得したタスクをユーザに提示して、ユーザによる、登録するタスクを指定する操作を求める。課題情報やタスクの提示は、例えば、端末装置６００のディスプレイに表示させることにより行うことができる。課題情報がユーザに提示されることにより、ユーザの未病領域に関する意識を高めることができ、タスクの遂行について動機付けを行うことができる。
【０１３０】
（ステップＳ１２５）処理部１４０は、タスクの指定操作を受け付ける。タスクの指定操作は、端末装置６００を用いて行われる。
【０１３１】
（ステップＳ１２６）処理部１４０は、指定操作により指定されたタスクに対応するタスク識別子を、ユーザ識別子に対応付けて、ユーザ情報格納部１１５に蓄積する。これにより、タスクが、ユーザが取り組むべきものとして登録される。その後、図５に示される処理に戻る。
【０１３２】
図７は、同情報処理装置１００のタスク遂行情報取得処理の一例を示すフローチャートである。
【０１３３】
（ステップＳ１４１）処理部１４０は、タスクを遂行したことを登録する入力操作が行われた旨を示す情報を受信したか否かを判断する。本実施の形態においては、処理部１４０は、端末装置６００からタスク識別子を受信したか否かを判断する。タスク識別子を受信した場合はステップＳ１０１に進み、そうでない場合は図５に示される処理に戻る。
【０１３４】
（ステップＳ１４２）処理部１４０は、受信したタスク識別子に基づいて、ユーザ情報を更新する。すなわち、処理部１４０は、タスク識別子とユーザ識別子とを対応付けて蓄積する。
【０１３５】
（ステップＳ１４３）処理部１４０は、ユーザ情報を取得する。本実施の形態において、例えば、処理部１４０は、ユーザ情報格納部１１５に格納されている情報のうち、ユーザ識別子に対応する情報を取得する。これにより、遂行されたタスクのタスク識別子が、タスク遂行情報として取得されたといえる。
【０１３６】
（ステップＳ１４４）処理部１４０は、第二対応情報に基づいて実績情報を生成する。そして、生成した実績情報を、ユーザ識別子に対応付けて蓄積する。
【０１３７】
（ステップＳ１４５）処理部１４０は、ユーザ情報格納部１１５から、他者情報を取得する。
【０１３８】
（ステップＳ１４６）処理部１４０は、抽選結果取得部１５３により取得された抽選結果を取得する。
【０１３９】
（ステップＳ１４７）処理部１４０は、出力条件が満たされるか否かを判断する。判断は、例えば上述のようにして行われればよいが、これに限られない。出力条件が満たされた場合はステップＳ１４８に進み、そうでない場合は図５の処理に戻る。
【０１４０】
（ステップＳ１４８）処理部１４０は、付与フラグを立てる。付与フラグは、例えば、情報処理装置１００に対応付けて記録されるものであるが、これに限られない。その後、図５に示される処理に戻る。
【０１４１】
図８は、同情報処理装置１００の付与処理の一例を示すフローチャートである。
【０１４２】
（ステップＳ１６１）処理部１４０は、ユーザ識別子に対応する未病領域識別子毎のスコアを取得する。
【０１４３】
（ステップＳ１６２）処理部１４０は、スコアに基づいて商品識別子を取得する。第三対応情報を用いることにより、商品識別子を取得することができる。
【０１４４】
（ステップＳ１６３）処理部１４０は、クーポン識別子と、ユーザ識別子と、商品識別子とを対応付けてクーポン情報を生成する。
【０１４５】
（ステップＳ１６４）処理部１４０は、生成したクーポン情報について、クーポン管理情報を格納部１１０に蓄積する。その後、図５に示される処理に戻る。
【０１４６】
図９は、同情報処理装置１００の動作の一例を示すフローチャートである。
【０１４７】
図９においては、クーポン情報を付与されたユーザがクーポン情報を使用しようとした場合における、情報処理装置１００の動作の一例が示されている。この場合、ユーザが使用する端末装置６００からクーポン情報が、ＰＯＳ端末７０１等の装置に読み取られる。そうすると、当該装置や、又はＰＯＳサーバ７１０等の管理装置から、クーポン情報が端末装置６００に送信される。
【０１４８】
（ステップＳ１８１）処理部１４０は、他の装置から送信されたクーポン情報を受信したか否かを判断する。クーポン情報を受信したと判断すると、ステップＳ１８２に進み、そうでない場合は引き続き待機する。
【０１４９】
（ステップＳ１８２）処理部１４０は、受信したクーポン情報に含まれるクーポン識別子を用いて、クーポン管理情報を検索する。
【０１５０】
（ステップＳ１８３）処理部１４０は、クーポンが有効であるか否かを判断する。クーポンが有効であることは、クーポン管理情報において当該クーポンのクーポン情報が含まれており、かつ、クーポン情報に対応する使用日時が記録されていないことに対応する。換言すると、クーポン情報が正しく発行されたものであり、クーポン情報が使用されたものではない場合に、クーポンが有効であると判断される。クーポンは有効であると判断した場合はステップＳ１８４に進み、そうでない場合はステップＳ１８６に進む。
【０１５１】
なお、クーポン管理情報において、クーポンの有効期限を管理し、クーポンが有効であると判断する条件の１つに、クーポンの有効期限内であることが含まれるようにしてもよい。
【０１５２】
（ステップＳ１８４）処理部１４０は、クーポンは有効であることを示す有効情報を送信する。有効情報は、クーポン情報を送信してその有効性を照会しようとした装置に対して送信される。これにより、当該装置においてクーポン情報に基づいて商品の引き換えに対応する処理が行われうる。
【０１５３】
（ステップＳ１８５）処理部１４０は、クーポン情報を使用不可能に設定する。本実施の形態においては、例えば、クーポン管理情報において、当該クーポン情報について使用日時が対応付けて記録されることにより、以後、当該クーポン情報が使用不可能なものとして設定される。
【０１５４】
なお、この場合において、処理部１４０は、クーポンを使用するユーザの端末装置６００に、クーポンが使用された旨の通知を送信するようにしてもよい。
【０１５５】
（ステップＳ１８６）処理部１４０は、クーポンは有効ではないことを示す無効情報を送信する。無効情報は、クーポン情報を送信してその有効性を照会しようとした装置に対して送信される。これにより、当該装置においてクーポン情報に基づいた商品の引き換えに対応する処理を行わないようにすることができる。その後、一連の処理が終了する。
【０１５６】
図１０は、同情報処理システム１におけるＰＯＳサーバ７１０の動作の一例を示すフローチャートである。
【０１５７】
図１０は、クーポン情報を付与されたユーザが販売情報登録システム７００においてクーポン情報を使用しようとした場合における、ＰＯＳサーバ７１０の動作の一例が示されている。以下のような動作は、図９に示されるように動作する情報処理装置１００と連携して行われうるものである。
【０１５８】
（ステップＳ８０１）ＰＯＳ処理部７４０は、クーポン情報が、ＰＯＳ端末７０１を介して入力されたか否かを判断する。クーポン情報が入力されたと判断した場合はステップＳ８０２に進み、そうでない場合は引き続き待機する。
【０１５９】
（ステップＳ８０２）ＰＯＳ処理部７４０は、入力されたクーポン情報を、情報処理装置１００に送信する。
【０１６０】
（ステップＳ８０３）ＰＯＳ処理部７４０は、情報処理装置１００から送信されうる有効情報を受信したか否かを判断する。有効情報を受信した場合はステップＳ８０４に進み、そうでない場合はステップＳ８０６に進む。
【０１６１】
（ステップＳ８０４）ＰＯＳ処理部７４０は、クーポン使用通知を、クーポン情報の読み取りに使用されたＰＯＳ端末７０１に出力する。これにより、ＰＯＳ端末７０１を通じて、クーポン情報が使用された旨を店舗側にも知らせることができ、商品の引き換えをスムーズに実現することができる。
【０１６２】
（ステップＳ８０５）ＰＯＳ処理部７４０は、クーポン情報に含まれる商品識別子に基づいて、在庫情報を更新する。より具体的には、商品識別子に対応する在庫数を所定数だけ減算する。引き換えが行われる商品の数だけ在庫数を減算することにより、在庫数が実際の数と適合している状態が維持される。
【０１６３】
（ステップＳ８０６）ＰＯＳ処理部７４０は、情報処理装置１００から送信されうる無効情報を受信したか否かを判断する。無効情報を受信した場合はステップＳ８０７に進み、そうでない場合はステップＳ８０３に戻る。
【０１６４】
（ステップＳ８０７）ＰＯＳ処理部７４０は、クーポン使用不能通知を、クーポン情報の読み取りに使用されたＰＯＳ端末７０１に出力する。これにより、ＰＯＳ端末７０１を通じて、クーポン情報が使用できない旨を店舗側にも知らせることができ、商品の引き換えを実行させないようにすることができる。その後、一連の処理が終了する。
【０１６５】
次に、本実施の形態において情報処理システム１において取り扱われる情報や、ユーザが使用する端末装置６００の画面遷移について示しながら、情報処理システム１の動作の具体例について説明する。
【０１６６】
以下の具体例において、情報処理システム１で取り扱われる未病領域としては、例えば一例として、体脂肪、血圧、血糖、及びコレステロールの４つがある。また、それぞれの未病領域に対応する未病領域識別子は、「体脂肪」、「血圧」、「血糖」、「コレステロール」が用いられている（それぞれ、「体」、「圧」、「糖」、「コ」と略されて示されることがある）。
【０１６７】
図１１は、同情報処理装置１００において用いられる第一対応情報の一具体例を示す図である。
【０１６８】
図１１に示されるように、本具体例において、第一対応情報は、アンケートに含まれる２以上の設問毎に、回答の内容とそれぞれの未病領域識別子との対応関係が示されているものである。一の設問について、当該設問を識別する設問識別子と、対応する属性値が含まれる。例えば、設問の区分と、設問文と、回答毎の係数と、未病領域識別子毎の係数とのそれぞれの属性値が、設問識別子に対応付けられている。ここで、設問の区分は、設問が何の種別に関するものであるかを示すものである。また、設問文は、実際にユーザに提示される設問を示す文章である。回答毎の係数は、例えば、ユーザが選択することができる選択肢（図に示される例では、「はい」と「いいえ」との２択）のそれぞれについて指定された、スコアを演算するための係数である。未病領域識別子毎の係数は、「体脂肪」、「血圧」、「血糖」、「コレステロール」の４つの未病領域識別子のそれぞれと、設問との対応関係を示す係数であって、スコアを演算するための係数である。
【０１６９】
本実施の形態において、スコアは、ユーザにとって未病領域に関してリスクを有する程度を表すものであるといえる。すなわち、リスクの有無を尋ねる設問文に対して、リスクがあるといえる回答内容に対応する係数は、大きく設定されている。リスクがあるといえる未病領域に対応する係数は、大きく設定されている。各設問について、未病領域識別子毎の係数に、回答内容に対応する係数を乗じることにより、各設問についての未病領域識別子毎のスコアが得られる。こうして得られたスコアを、全ての設問について合算することにより、ユーザが有するリスクを示す未病領域識別子毎のスコアが得られる。
【０１７０】
例えば、設問識別子「Ｑ１」の設問についてユーザの回答が「はい」だった場合には、当該設問についての未病領域識別子毎のスコアは、「体脂肪」が１、「血圧」が０、「血糖」が１、「コレステロール」が１となる。ユーザの回答が「いいえ」だった場合には、「いいえ」に対応する係数が０であるため、当該設問についての未病領域識別子毎のスコアは、いずれも０となる。また、例えば、設問識別子「Ｑ２０」の設問についてユーザの回答が「はい」だった場合には、当該設問についての未病領域識別子毎のスコアは、「体脂肪」が０．５、「血圧」が１、「血糖」が０、「コレステロール」が１となる。
【０１７１】
図１２は、同情報処理装置１００において用いられる第二対応情報の一具体例を示す図である。
【０１７２】
図１２に示されるように、本具体例において、第二対応情報は、予め用意された複数のタスクのそれぞれについて、２以上の未病領域識別子のそれぞれとの対応関係が示されているものである。一のタスクについて、当該タスクを識別するタスク識別子と、対応する属性値が含まれる。例えば、タスクが属する群と、タスクの分類と、タスクの内容と、タスクの説明と、対応する未病領域を示す未病領域識別子とのそれぞれの属性値が、タスク識別子に対応付けられている。ここで、タスクが属する群とは、例えば、多数のタスクをあらかじめいくつかの群に分けたときに、どの群に属するかを示す属性値である。また、タスクの分類とは、例えば、タスクが何の種別に関するものであるかを示すものである。タスクの内容や、タスクの説明は、ユーザに提示されるタスクの説明文である。
【０１７３】
本実施の形態において、各タスクには、１以上の未病領域識別子が対応付けられている。各タスクは、それを遂行することでリスクが改善することが期待される未病領域を示す未病領域識別子に対応付けられている。例えば、タスク識別子「Ｔ０１」のタスクは、「血糖」、「血圧」、「コレステロール」に対応付けられている。また、タスク識別子が「Ｔ２２」のタスクは、「体脂肪」に対応付けられている。このようなタスクの説明がユーザに表示されうるので、ユーザはタスクの内容を正しく理解してタスクの遂行に取り組むことができ、タスクの遂行について効果的に動機付けを行うことができるようになる。
【０１７４】
なお、本実施の形態において、各タスクは、効果を示す情報と対応付けられている。また、各タスクは、知識を示す情報と対応付けられている。ここで知識とは、いわゆる雑学に属する知識や、豆知識と呼ばれる知識をいうが、これに限られない。効果を示す情報とタスクとの対応関係を示す情報を効果対応情報と呼び、知識を示す情報とタスクとの対応関係を示す情報を知識対応情報と呼ぶ。効果対応情報や知識対応情報は、例えば、対応情報格納部１１１に格納されており、処理部１４０による出力等において用いられる。
【０１７５】
図１３は、同情報処理装置１００において用いられる効果対応情報の一具体例を示す図である。
【０１７６】
図１３に示されるように、効果対応情報は、複数のタスクのそれぞれについて、そのタスクを遂行することにより得られることが期待される効果に関する情報が対応付けられて記録されているものである。効果は、未病領域毎に表されているものであり、一のタスクが２以上の未病領域識別子に対応する場合、一のタスクに、それぞれの未病領域識別に対応する効果が対応する。一の効果について、対応するタスクを識別するタスク識別子と、タスク識別子と合わせて当該効果を識別する効果識別子と、対応する属性値とが含まれる。例えば、関連する未病領域を示す未病領域識別子と、効果を示すタイトルと、効果の説明とのそれぞれの属性値が、効果識別子及びタスク識別子に対応付けられている。このような効果対応情報が設定されていることにより、各タスクに対して、期待される効果をユーザに提示することができる。タスクの効果を示す情報として、タスクが遂行されることでリスクが改善することが期待される未病領域や、その理由などが含まれる。このような効果がユーザに表示されうるので、ユーザは納得感や期待感をもってタスクの遂行に取り組むことができ、タスクの遂行について効果的に動機付けを行うことができるようになる。
【０１７７】
図１４は、同情報処理装置１００において用いられる知識対応情報の一具体例を示す図である。
【０１７８】
図１４に示されるように、知識対応情報は、複数のタスクのそれぞれについて、知識に関する情報が対応付けられて記録されているものである。タスクの内容、性質などと、知識の内容や性質とは、いずれかの観点で関連しているものであってもよいし、全く関連していなくてもよい。本実施の形態において、一のタスクに対して、２以上の知識が対応付けられている。一の知識について、対応するタスクを識別するタスク識別子と、タスク識別子と合わせて当該知識を識別する知識識別子と、対応する属性値とが含まれる。例えば、知識を示すタイトルと知識の説明とのそれぞれの属性値が、知識識別子及びタスク識別子に対応付けられている。このような知識対応情報が設定されていることにより、各タスクに対して、ユーザにちょっとした知識を提示することができる。ユーザは、提示される知識を知ることで、情報処理システム１を利用する楽しみを得ることができる。そのため、ユーザに情報処理システム１を利用する機会を増加させることができ、タスクの遂行についてのユーザに意識させる機会を増加させることができる。
【０１７９】
なお、本具体例において、一のタスクに対して、例えば８つの知識が対応付けられている。これらの８つの知識は、一のタスクについて遂行状況（例えば、遂行した回数など）に応じて設定される複数段階のランク別に対応している。一のタスクについて、ユーザが所定のランクに達するまでは、当該ランクに対応する知識は、表示されないようにロックされており、ユーザが所定のランクに達したときに、当該ランクに対応する知識のロックが解除され（開放され）、当該知識が閲覧可能になるように構成されている。
【０１８０】
このようにユーザの達成したランクすなわちタスク遂行情報に応じて、知識のコンテンツが開放されるので、ユーザは、タスクを遂行することについて楽しみを得ることができる。このようなゲーミフィケーションが導入されているので、ユーザに、タスクの遂行について効果的に動機付けを行うことができる。
【０１８１】
図１５は、同情報処理装置１００において用いられるタスク遂行情報の一具体例を示す図である。
【０１８２】
図１５に示されるように、本具体例において、タスク遂行情報は、複数のユーザのそれぞれのタスクの遂行に関する情報を１つのテーブルに集約して表されるものである。すなわち、タスク遂行情報は、タスクが遂行された日時を示す情報と、タスクを遂行したユーザのユーザ識別子と、遂行されたタスクを示すタスク識別子とが対応付けて記録されているものである。タスク遂行情報は、例えば、対応情報格納部１１１に格納される。このようなタスク遂行情報を用いることにより、例えば、特定のユーザが遂行したタスクを容易に特定することができる。
【０１８３】
図１６は、同情報処理装置１００において用いられる実績情報の一具体例を示す図である。
【０１８４】
図１６においては、２つのテーブルが示されている。上段が、日毎の獲得ポイントをユーザ毎に集計したものであり、下段が、未病領域識別子毎の獲得ポイントの積算値をユーザ毎に集計したものである。本具体例においては、これらの両方が実績情報として蓄積されるが、これらのいずれか一方のみが実績情報として蓄積されるようにしてもよい。なお、これらの実績情報は、図１５に示されるようなタスク遂行情報と、図１２に示されるような第二対応情報とに基づいて、処理部１４０が生成可能である。すなわち、ユーザ毎に、一のタスクが遂行された場合に、当該タスクに対応する未病領域識別子の獲得ポイントが所定数（例えば、１）だけ加算される。ユーザ毎に、タスク遂行情報に基づいて、これまでに遂行されたタスクについて生じた未病領域識別子毎の獲得ポイントを通算したり、日毎に獲得ポイントを通算したりすることにより、実績情報を生成することができる。なお、格納部１１０に実績情報を蓄積することで、実績情報を使用する際に処理部１４０にかかる負荷を小さくすることができるが、格納部１１０に実績情報を蓄積せず、実績情報を使用する際に、随時、処理部１４０が実績情報を算出するように構成されていてもよい。
【０１８５】
図１７は、同情報処理装置１００において用いられるクーポン管理情報の一具体例を示す図である。
【０１８６】
図１７に示されるように、クーポン管理情報は、生成された複数のクーポン情報のそれぞれが記録されているテーブルである。各クーポン情報は、例えば、クーポン識別子と、それに対応する属性値とを有する情報である。例えば、付与されたユーザのユーザ識別子と、引き換え可能な商品の商品識別子と、有効期限と、使用日時とのそれぞれの属性値が、クーポン識別子に対応付けられている。本変形例において、クーポン情報が使用されていない状態では使用日時の属性値は空（ＮＵＬＬ）であり、クーポン情報が使用されたときに、その日時が使用日時の属性値として記録される。すなわち、使用日時の属性値が記録されていないクーポン情報は、有効期限内においては利用することができるものである。使用日時の属性値が記録されているクーポン情報は、既に使用されており、新たに使用できない、失効したものである。
【０１８７】
図１８は、同端末装置６００で動作するアプリケーションの画面遷移の一具体例について説明する図である。
【０１８８】
図１８に示されるように、ユーザは、端末装置６００に各種の画面を表示させながら、情報処理システム１を利用することができる。このような画面の遷移は、端末装置６００と情報処理装置１００とが適宜通信を行ったり、端末受付部６３０により受け付けられたユーザの操作などに応じて端末処理部６４０や処理部１４０が制御動作を行ったりすることにより実現される。
【０１８９】
すなわち、まず、ユーザがアプリケーションを起動させると、図示しないログイン画面Ｓ１１が表示される。ログイン画面Ｓ１１において、ユーザは、自身を識別する情報などを入力してログインし、情報処理システム１を利用することができる。ここで、ユーザがログインすると、処理部１４０により、当該ユーザに登録されているタスクの有無が確認される。タスクがない場合は、回答画面Ｓ１２に移る。タスクがある場合は、日常画面Ｓ２１に移る。なお、タスクがある場合であっても、所定の回答開始操作が行われた場合は、回答画面Ｓ１２に移るようにしてもよい。
【０１９０】
図１９は、同端末装置６００で動作するアプリケーションの回答画面Ｓ１２の一具体例について説明する図である。
【０１９１】
図１９においては、端末装置６００の概略図が示されているが、以降の図においてはその図示を省略することがある。
【０１９２】
回答画面Ｓ１２は、設問毎に、設問文１１２１と、回答を選択するための回答選択部１１２８とが表示される。この回答画面Ｓ１２は、例えば、第一対応情報に基づいて表示される。なお、回答画面Ｓ１２には、設問が属する区分を図柄で示す区分アイコン１１２２が表示されるようになっている。図１９においては、区分が食事であることを示す区分アイコン１１２２が表示されている。ユーザは、区分アイコン１１２２を見ることにより、どのような分野についての設問であるのかを直感的に理解することができ、スムーズに回答を行うことができる。
【０１９３】
回答画面Ｓ１２において、アンケートに含まれる２以上の設問の全て対して回答が完了すると、スコア表示画面Ｓ１３に遷移する。
【０１９４】
図２０は、同端末装置６００で動作するアプリケーションのスコア表示画面Ｓ１３の一具体例について説明する図である。
【０１９５】
図２０に示されるように、スコア表示画面Ｓ１３には、回答により得られた４つの未病領域識別子毎のスコアすなわち課題情報が、数値及びグラフにより表示される。このように直感的に把握可能な態様で課題情報がユーザに提示されるので、ユーザの未病領域に関する意識をより高めることができる。スコア表示画面Ｓ１３において次画面遷移操作（例えば「次へ」ボタンの操作）が行われると、タスク提示画面Ｓ１４に遷移する。
【０１９６】
図２１は、同端末装置６００で動作するアプリケーションのタスク提示画面Ｓ１４の一具体例について説明する図である。
【０１９７】
図２１に示されるように、タスク提示画面Ｓ１４には、タスク出力部１４３により出力されたタスク情報１１４１が複数表示されている。本具体例において、タスク提示画面Ｓ１４に表示されているタスク情報１１４１は、ユーザに対して登録することを勧めるものであり、この時点ではユーザが遂行すべきものとしての登録はされていないものである。ユーザは、表示されているタスク情報１１４１のうち、登録するものを選択したうえで、登録ボタン１１４８を操作するタスク登録操作を行うことにより、選択したタスク情報１１４１を登録することができる。タスク登録操作が行われると、日常画面Ｓ２１に遷移する。
【０１９８】
なお、各タスク情報１１４１には、当該タスク情報１１４１が対応する未病領域識別子１１４２が示されている。これにより、ユーザは、どの未病領域のリスクを改善するためのタスクかを確認した上でタスク登録操作を行うことができる。
【０１９９】
図２２は、同端末装置６００で動作するアプリケーションの日常画面Ｓ２１の一具体例について説明する図である。
【０２００】
日常画面Ｓ２１は、端末装置６００で動作するアプリケーションの基本画面の一つである。図２２に示されるように、日常画面Ｓ２１は、ユーザが登録しているタスク１２１２が、その遂行状況を示す状況アイコン１２１４や、遂行したことを入力するための入力ボタン１２１５などとともに示されている。日常画面Ｓ２１においても、各タスク１２１２に対応して未病領域識別子１２１３が示されている。
【０２０１】
本具体例において、状況アイコン１２１４は、例えば、当該タスク１２１２についてのランクを示すものである。入力ボタン１２１５は、当該タスク１２１２について遂行したことを登録可能であるが、まだ登録が行われていない場合に表示されるものである。
【０２０２】
日常画面Ｓ２１の下部には、他の基本画面に遷移するためのメニューバー１２１１が表示される。メニューバー１２１１により他の画面を選択するメニュー選択操作が行われることにより、後述するように、日常画面Ｓ２１から、実績情報表示画面Ｓ３１や、ミッション画面Ｓ４１に遷移することができるようになっている。
【０２０３】
なお、本具体例において、ユーザに対して付与されているクーポン情報がある場合には、日常画面Ｓ２１に、クーポン表示ボタン１２１７が出現する。クーポン表示ボタン１２１７を選択するクーポン表示操作が行われると、後述のクーポン画面Ｓ２５に遷移する。
【０２０４】
日常画面Ｓ２１において、状況アイコン１２１４又は入力ボタン１２１５が操作されると、タスク表示画面Ｓ２２に遷移する。
【０２０５】
図２３は、同端末装置６００で動作するアプリケーションのタスク表示画面Ｓ２２の一具体例について説明する図である。
【０２０６】
図２３においては、図２２において入力ボタン１２１５が操作された場合のタスク表示画面Ｓ２２が示されている。タスク表示画面Ｓ２２には、タスクの説明のほか、ランク表示部１２２１と、通知設定部１２２２と、効果概要表示部１２２３と、効果詳細表示部１２２４と、遂行登録ボタン１２２７と、削除ボタン１２２９とが含まれている。タスク表示画面Ｓ２２において、前画面遷移操作が行われると、日常画面Ｓ２１に戻る。
【０２０７】
ランク表示部１２２１には、当該タスクについての現在のランクが示されている。ランク表示部１２２１においては、これまでに開放された知識を閲覧するための知識閲覧ボタン１２２１ｂが選択可能に示されている（「知ってた？」欄）。開放された知識について、知識閲覧ボタン１２２１ｂを選択すると、知識表示画面Ｓ２３に遷移する。
【０２０８】
通知設定部１２２２は、当該タスクの遂行をリマインドするための通知を行うか否かと、通知を行う時間とを設定可能に設けられている。本具体例において、タスクのそれぞれについて、遂行を促すための通知を実行させることができる。なお、通知は、当該タスクの遂行が登録可能でない場合には行われないようになっている。これにより、ユーザにとって煩わしい通知が行われることが防止される。
【０２０９】
効果概要表示部１２２３には、当該タスクに対応する効果が、短い文章で表示される。本具体例においては、タスクに対応する未病領域識別子に対応してそれぞれの効果が表示される。ユーザは、効果概要表示部１２２３の表示を見て、タスクを遂行する意義を端的に理解することができる。また、効果詳細表示部１２２４には、当該タスクに対応する効果の詳細説明文が表示されうる。効果詳細表示部１２２４は、ボタン操作により表示を折り畳むことができるように構成されている（図においては折り畳んだ状態が示されている）。ユーザは、効果が気になったタスクについて効果詳細表示部１２２４を表示させて確認することにより、スクを遂行する意義をしっかりと理解することができる。なお、効果概要表示部１２２３や、効果詳細表示部１２２４の内容は、例えば、効果対応情報に基づいて表示されるようになっている。
【０２１０】
ユーザは、タスク表示画面Ｓ２２において、遂行登録ボタン１２２７を操作することにより、当該タスクについて遂行したことを登録することができる（タスク遂行操作）。タスク遂行操作が行われると、ランクアップ画面Ｓ２４に遷移する。なお、ユーザは、削除ボタン１２２９を操作することにより、当該タスクの登録を解除すること、すなわち登録しているタスクから当該タスクを削除することができる。
【０２１１】
図２４は、同端末装置６００で動作するアプリケーションの知識表示画面Ｓ２３の一具体例について説明する図である。
【０２１２】
図２４に示されるように、知識表示画面Ｓ２３は、選択された知識についての内容が表示される。知識の内容は、例えば、知識対応情報に基づいて表示されるようになっている。知識表示画面Ｓ２３において画面をタップする操作が行われると、タスク表示画面Ｓ２２に戻る。
【０２１３】
図２５は、同端末装置６００で動作するアプリケーションのランクアップ画面Ｓ２４の一具体例について説明する図である。
【０２１４】
図２５に示されるように、ランクアップ画面Ｓ２４は、タスクについてランクがアップしたことと現在のランクとをユーザに示す内容を含む。
【０２１５】
ここで、本実施の形態において、当該タスクの遂行を登録したときに出力条件が満たされると判断されると、クーポン画面Ｓ２５に遷移する。なお、自動的にランクアップ画面Ｓ２４からクーポン画面Ｓ２５に遷移するようにしてもよいし、ユーザの操作が１つのトリガとなってクーポン画面Ｓ２５に遷移するようにしてもよい。出力条件が満たされると判断されなかった場合には、画面をタップする操作が行われると、ランクアップ画面Ｓ２４から日常画面Ｓ２１に遷移する。
【０２１６】
図２６は、同端末装置６００で動作するアプリケーションのクーポン画面Ｓ２５の一具体例について説明する図である。
【０２１７】
図２６に示されるように、クーポン画面Ｓ２５では、ユーザに付与されたクーポン情報に基づいて、その内容が表示される。すなわち、クーポン画面Ｓ２５には、例えば、クーポン情報を特定する二次元コードが含まれる。ユーザは、この二次元コードを、ＰＯＳ端末７０１などに読み取らせることにより、クーポン情報を使用することができる。なお、クーポン画面Ｓ２５には、クーポン情報の有効期限や、クーポン情報の使用方法を案内する文言などが含まれていてもよい。また、クーポン情報に対応する商品識別子に基づいて、引き換え対象となる商品についての説明が含まれていてもよい。クーポン画面Ｓ２５において、例えば画面をタップする操作が行われると、日常画面Ｓ２１に遷移する。
【０２１８】
図２７は、同端末装置６００で動作するアプリケーションの実績情報表示画面Ｓ３１の一具体例について説明する図である。
【０２１９】
図２７に示されるように、実績情報表示画面Ｓ３１は、実績情報を表示するものである。本具体例においては、最近の日毎の獲得ポイントが、実績情報表示画面Ｓ３１に含まれる。また、通算の合計の獲得ポイントと、未病領域識別子毎に通算された獲得ポイントとが、実績情報表示画面Ｓ３１に含まれる。このような実績情報表示画面Ｓ３１を見ることで、ユーザは、自身のタスクの遂行に関する取り組み状況について容易に確認することができる。
【０２２０】
なお、実績情報表示画面Ｓ３１は、予め生成されて格納部１１０に格納されている実績情報に基づいて表示されてもよいし、実績情報表示画面Ｓ３１の表示が要求された場合に算出された実績情報に基づいて表示されるようにしてもよい。実績情報表示画面Ｓ３１において、メニューバー１２１１により他の画面を選択するメニュー選択操作が行われることにより、他の基本画面に遷移する。
【０２２１】
図２８は、同端末装置６００で動作するアプリケーションのミッション画面Ｓ４１などの一具体例について説明する図である。
【０２２２】
本具体例において、ユーザは、アプリケーションの使用状況、タスクの遂行状況、及び端末装置６００において計測された計測値などに関連する種々のミッションに取り組むことができる。予め複数のミッションが、それぞれのクリア条件と共に設定されている。処理部１４０は、アプリケーションの使用状況、タスクの遂行状況、及び端末装置６００において計測された計測値などの情報を取得し、取得した情報に基づいて、各ミッションのクリア条件が満たされた（ミッションが達成された）か否かを判断する。ミッションが達成されたと判断されると、当該ミッションに対応する所定のバッジが開放され、バッジリストにおいて確認可能となる。
【０２２３】
図２８においては、ミッション画面Ｓ４１と、バッジ一覧画面Ｓ４２と、ミッション達成画面Ｓ４３とが示されている。ミッション画面Ｓ４１において、メニューバー１２１１により他の画面を選択するメニュー選択操作が行われることにより、他の基本画面に遷移する。
【０２２４】
ミッション画面Ｓ４１には、ユーザが達成間近であるミッションの内容を案内したり、ミッションの一覧を案内したりする内容が表示される。ミッション画面Ｓ４１には、バッジ一覧ボタン１４１１が含まれる。バッジ一覧ボタン１４１１が操作されると、バッジ一覧画面Ｓ４２に遷移する。
【０２２５】
バッジ一覧画面Ｓ４２では、これまでに開放されたバッジの画像が並んで表示される。例えば画面をタップする操作が行われると、ミッション画面Ｓ４１に遷移する。
【０２２６】
ここで、ミッション画面Ｓ４１が表示されたタイミングで、達成されたミッションがあると処理部１４０により判断された場合には、自動的に、又はユーザの操作に応じて、ミッション達成画面Ｓ４３に遷移する。
【０２２７】
ミッション達成画面Ｓ４３では、達成したミッションの内容と、開放されたバッジとが表示される。また、このように開放されたバッジは、以後、バッジ一覧画面Ｓ４２で表示されることとなる。例えば画面をタップする操作が行われると、ミッション画面Ｓ４１に遷移する。
【０２２８】
このように、本具体例においては、ユーザに、ミッションを達成し、バッジを収集することを楽しみの一つとして、アプリケーションの使用や、タスクの遂行を効果的に促すことができる。
【０２２９】
以上説明したように、本実施の形態において、情報処理システム１は、対応情報格納部１１１に格納されている第一対応情報と第二対応情報とを用いて、以下のような情報処理方法を実現可能であるといえる。すなわち、情報処理システム１は、生活習慣に関するアンケートに含まれる２以上の各設問に対する回答を取得し、回答取得ステップにより取得された２以上の回答と、第一対応情報及び第二対応情報とを用いて、回答を行ったユーザに遂行させるタスクに対応するタスク情報を出力し、出力されたタスク情報に対応するタスクの遂行に関するタスク遂行情報を取得し、遂行情報取得ステップにより取得されたタスク遂行情報に基づいて、タスクの遂行に関する条件を含む所定の出力条件が満たされるか否かを判断し、出力条件が満たされると判断された場合に、ユーザに１以上の商品又は当該商品を取得可能な権利を付与する。タスクの遂行結果に応じて、商品等が付与されることにより、ユーザにタスクを遂行させる動機付けを行うことができる。
【０２３０】
出力条件が満たされるか否かの判断を、他者情報に基づいて行うようにしてもよい。庫のようにすることにより、他のユーザとの競争関係が生じることとなり、ユーザに、他のユーザに劣らないようにしたいと考えさせることができる。そのため、タスクを遂行させる動機付けを効果的に行うことができる。付与される商品は、アンケートに含まれる設問、タスク、及び１以上の未病領域識別子のうちいずれかに対応するものとなっているので、ユーザの指向や状態により適合した商品をユーザに付与することができる。ユーザにとって魅力的な商品が付与される可能性があるので、ユーザに、タスクを遂行させる動機付けを効果的に行うことができる。
【０２３１】
タスクの出力は、取得された２以上の回答を用いて、回答を行ったユーザに対応する未病領域識別子毎のスコアを取得して、取得したスコアを用いて行われる。したがって、回答を行ったユーザに対して適合度の高いタスクを提案することができる。
【０２３２】
なお、上述の実施の形態において、例えば以下のように、一部の構成や動作を変更してもよい。以下のように構成されている場合でも、上述の実施の形態と同様に、ユーザにタスクを遂行させる動機付けを行うことができるという効果を得ることができる。
【０２３３】
例えば、付与処理は、例えば電子コンテンツなどの商品と電子的に引き換え可能な符号をユーザに送付することにより行われてもよい。また、実績情報に対応する商品識別子に対応する商品が付与されるようにしてもよい。
【０２３４】
図２９は、本実施の形態の一変形例に係る情報処理装置１００の付与処理の一例を示すフローチャートである。
【０２３５】
図２９に示されるように、処理部１４０は、ユーザ識別子に対応する実績情報を取得する（ステップＳ２６１）。処理部１４０は、実績情報に基づいて、商品識別子を取得する（ステップＳ２６２）。例えば、第三対応情報を用いることにより、商品識別子を取得することができる。すなわち、処理部１４０は、実績情報に基づいて、最も獲得ポイントが高い未病領域識別子を特定する。そして、特定した未病領域識別子に対応する商品識別子を第三対応情報において取得する。そうすると、処理部１４０は、商品識別子に対応する商品符号（電子コンテンツなどの商品と電子的に引き換え可能な符号）を取得し、ユーザに送信する（ステップＳ２６３）。このように構成されていることにより、実績情報に応じた商品をユーザに付与することができる。また、商品と電子的に引き換え可能な符号をユーザに簡便に付与することができる。
【０２３６】
また、例えば、上述の実施の形態にかかる情報処理システム１において、販売情報登録システム７００を用いず、複数の自動販売機９００が用いられていてもよい。
【０２３７】
図３０は、本実施の形態の一変形例にかかる情報処理システム１ｂの構成を示す図である。
【０２３８】
図３０に示されるように、情報処理システム１ｂは、それぞれネットワークに接続された複数の自動販売機９００と、上述の実施の形態と同様に構成された情報処理装置１００及び端末装置６００とを含んでいる。
【０２３９】
自動販売機９００は、例えば、飲料等の商品を販売可能なものである。自動販売機９００は、例えば飲料等の商品が冷却又は加温された状態で保管される商品格納庫９０１と、商品格納庫に格納されている飲料等の商品を取り出して自動販売機９００から払い出す払出部９０３と、販売機読取部９０７とを備えている。
【０２４０】
払出部９０３は、例えば、図示しないモータやその他のアクチュエータなどの動力源と、当該動力源により駆動される商品を払い出すための機構とを含むものである。
【０２４１】
販売機読取部９０７は、例えば、画像を読み取り可能な読取装置であるが、これに限られない。読取装置は、例えば、画像を撮影可能なカメラであってもよいし、バーコードや二次元コード、多次元コードなどを読み取り可能なコードリーダーであってもよい。また、販売機読取部９０７は、例えば、端末装置６００等と種々の規格の無線通信により通信可能であって、携帯端末６００等から送信された情報を読み取り可能に構成されているものであってもよい。
【０２４２】
図３１は、同情報処理システム１ｂのブロック図である。
【０２４３】
図３１に示されるように、自動販売機９００は、販売機格納部９１０、販売機受信部９２０、販売機処理部９４０、及び販売機送信部９７０を備える。
【０２４４】
販売機格納部９１０は、販売機在庫情報格納部９１１を備える。販売機在庫情報格納部９１１には、商品格納庫９０１に保管されている各商品について在庫数等の在庫情報が格納されている。
【０２４５】
販売機受信部９２０は、情報処理装置１００から送信された情報を受信する。なお、販売機受信部９２０は、端末装置６００から送信された情報を受信可能に構成されていてもよい。販売機受信部９２０は、受信した情報を、例えば販売機格納部９１０に蓄積する。
【０２４６】
販売機送信部９７０は、例えば、情報処理装置１００や端末装置６００に情報を送信する。
【０２４７】
販売機処理部９４０は、販売機在庫管理部９４１及び販売機取得部９４２を備える。
【０２４８】
販売機在庫管理部９４１は、在庫情報の管理を行う。例えば、商品が販売された場合や、保管庫に商品等が補充された場合に、それに基づいて、在庫情報を更新する。本実施の形態において、販売機在庫管理部９４１は、販売機取得部９４２により取得されたクーポン情報に基づいて、商品の在庫管理を行う。例えば、販売機在庫管理部９４１は、クーポン情報に基づいて、クーポン情報に対応する商品が所定数だけ払い出されたとき、当該商品数だけ、商品の在庫数を削減する。
【０２４９】
販売機取得部９４２は、例えば、販売機読取部９０７により読み取られたクーポン情報を取得する。
【０２５０】
本変形例において、払出部９０３は、販売機取得部９４２により取得されたクーポン情報に基づいて、保管している商品をユーザに払い出す。
【０２５１】
図３２は、同変形例に係る情報処理システム１ｂにおける自動販売機９００の動作の一例を示すフローチャートである。
【０２５２】
図３２は、クーポン情報を付与されたユーザが自動販売機９００においてクーポン情報を使用しようとした場合における、自動販売機９００の動作の一例が示されている。以下のような動作は、図９に示されるように動作する情報処理装置１００と連携して行われうるものである。
【０２５３】
（ステップＳ８１１）販売機処理部９４０は、クーポン情報が、販売機読取部９０７から入力されたか否かを判断する。クーポン情報が入力されたと判断した場合はステップＳ８１２に進み、そうでない場合は引き続き待機する。
【０２５４】
（ステップＳ８１２）販売機処理部９４０は、入力されたクーポン情報を、情報処理装置１００に送信する。
【０２５５】
（ステップＳ８１３）販売機処理部９４０は、情報処理装置１００から送信されうる有効情報を受信したか否かを判断する。有効情報を受信した場合はステップＳ８１４に進み、そうでない場合はステップＳ８１６に進む。
【０２５６】
（ステップＳ８１４）販売機処理部９４０は、クーポン情報に含まれる商品識別子に基づいて、当該商品識別子に対応する商品が所定数だけ払い出されるように、払出部９０３を動作させる。
【０２５７】
（ステップＳ８１５）販売機処理部９４０は、在庫情報を更新する。例えば、クーポン情報に含まれる商品識別子に基づいて、商品識別子に対応する在庫数を所定数だけ減算する。なお、販売機処理部９４０は、払出部９０３が払い出した商品の在庫数について、払い出した数だけ減算するようにしてもよい。
【０２５８】
（ステップＳ８１６）販売機処理部９４０は、情報処理装置１００から送信されうる無効情報を受信したか否かを判断する。無効情報を受信した場合はステップＳ８１７に進み、そうでない場合はステップＳ８１３に戻る。
【０２５９】
（ステップＳ８１７）販売機処理部９４０は、クーポン使用不能通知を出力する。出力は、例えば、自動販売機９００に設けられているディスプレイ（図示せず）に情報を表示することなどにより行われる。これにより、自動販売機９００を通じて、クーポン情報が使用できない旨をユーザに知らせることができる。その後、一連の処理が終了する。
【０２６０】
このように、販売情報登録システム７００を用いず、自動販売機９００を含む情報処理システム１ｂにおいても、ユーザは、付与されたクーポン情報を用いて、商品の付与を受けることができる。
【０２６１】
なお、販売情報登録システム７００と自動販売機９００とが含まれる情報処理システムを構成し、当該情報処理システムにおいてクーポン情報が利用可能となるようにしてもよい。
【０２６２】
なお、例えば、このような自動販売機９００を有する情報処理システム１ｂにおいて、上述の実施の形態においては情報処理装置１００の処理部１４０が行っていた処理の一部が、自動販売機９００の販売機処理部９４０により担われるようにしてもよい。例えば、処理部１４０が行っていた付与処理に代えて、販売機処理部９４０が付与処理を行うようにしてもよい。この場合、情報処理装置１００の処理部１４０は、例えば、図５におけるステップＳ１０６とステップＳ１０７の処理を行わなくてもよい。
【０２６３】
このように、商品保管庫９０１と払出部９０３とを有する自動販売機９００を用いることにより、ユーザに、直接商品を付与することができる。
【０２６４】
図３３は、同変形例にかかる情報処理システム１ｂにおける自動販売機９００が行う付与処理の一例を示すフローチャートである。
【０２６５】
ユーザは、例えば、端末装置６００を用いて、タスクを遂行したことを登録する入力操作を行った後で、自動販売機９００に近づき、自動販売機９００に自身を認識させる動作を行う。認識させる動作としては、例えば、販売機読取部９０７にユーザ自身のユーザ識別子やその他の特定する情報を読み取らせたり、自動販売機９００と端末装置６００との間で通信を行ったりすることなどが挙げられるが、これに限られない。自動販売機９００の販売機処理部９４０は、ユーザを認識すると、以下の処理を行う。
【０２６６】
（ステップＳ８２１）販売機処理部９４０は、ユーザを識別する。そして、情報処理装置１００にユーザ情報の送信を要求し、情報処理装置１００から送信されたユーザ情報を取得する。
【０２６７】
（ステップＳ８２２）販売機処理部９４０は、ユーザについて、付与フラグが立っているか否かを判断する。付与フラグが立っていると判断した場合にはステップＳ８２３に進み、そうでない場合には処理を終了する。
【０２６８】
（ステップＳ８２３）販売機処理部９４０は、ユーザに対応する実績情報を情報処理装置１００から取得する。
【０２６９】
（ステップＳ８２４）販売機処理部９４０は、実績情報に基づいて、商品識別子を取得する。例えば、情報処理装置１００から取得した第三対応情報を用いることにより、商品識別子を取得することができる。
【０２７０】
（ステップＳ８２５）販売機処理部９４０は、取得した商品識別子に対応する商品が所定数だけ払い出されるように、払出部９０３を動作させる。これにより、所定数の商品が払い出され、ユーザは商品の付与を受けることができる。
【０２７１】
（ステップＳ８２６）販売機処理部９４０は、在庫情報を更新する。例えば、商品識別子に対応する在庫数を所定数だけ減算する。
【０２７２】
なお、ユーザが端末装置６００を用いて、タスクを遂行したことを登録する入力操作を行った後で、出力条件が満たされたと判断されたとき（付与フラグが立っているとき）、ユーザにその旨が通知されるようにすることが好ましい。通知は、例えば，情報処理装置１００から端末装置６００に情報を送信することにより行われればよい。このような通知が行われることにより、ユーザは、自動販売機９００を用いて商品の付与を受けることができることを知ることができる。
【０２７３】
なお、上述の格納部１１０や、端末格納部６１０や、ＰＯＳ格納部７１１や、販売機格納部９１０は、不揮発性の記録媒体が好適であるが、揮発性の記録媒体でも実現可能である。これらには、それぞれの装置において取得された情報などがそれぞれ格納されるが、情報等が記憶される過程はこれに限られない。例えば、記録媒体を介して情報等が記憶されるようになってもよく、通信回線等を介して送信された情報等が記憶されるようになってもよく、あるいは、入力デバイスを介して入力された情報等が記憶されるようになってもよい。
【０２７４】
また、上述の処理部１４０や、端末処理部６４０や、ＰＯＳ処理部７４０や、販売機処理部９４０は、通常、ＭＰＵやメモリ等から実現されうる。処理部１４０や、端末処理部６４０や、ＰＯＳ処理部７４０や、販売機処理部９４０の処理手順は、通常、ソフトウェアで実現され、当該ソフトウェアはＲＯＭ等の記録媒体に記録されている。但し、ハードウェア（専用回路）で実現してもよい。
【０２７５】
また、受付部１３０や端末受付部６３０により受付可能な情報の入力に用いられうる入力手段は、テンキーやキーボードやマウスやメニュー画面によるものなど、何でもよい。受付部１３０や端末受付部６３０は、テンキーやキーボード等の入力手段のデバイスドライバーや、メニュー画面の制御ソフトウェア等で実現されうる。
【０２７６】
また、受信部１２０や、端末受信部６２０や、ＰＯＳ受信部７２０や、販売機受信部９２０は、通常、無線又は有線の通信手段で実現されるが、放送を受信する手段で実現されてもよい。
【０２７７】
また、送信部１７０や、端末送信部６７０や、ＰＯＳ送信部７７０や、販売機送信部９７０は、通常、無線又は有線の通信手段で実現されるが、放送手段で実現されてもよい。
【０２７８】
なお、情報処理装置１００やＰＯＳサーバ７１０は、それぞれ、１つのサーバにより構成されていてもよいし、互いに連携して動作する複数のサーバにより構成されていてもよいし、その他の機器に内蔵された電子計算機等であってもよい。なお、サーバは、いわゆるクラウドサーバでも、ＡＳＰサーバ等でもよく、その種類は問わないことは言うまでもない。
【０２７９】
なお、本実施の形態における処理は、ソフトウェアで実現してもよい。そして、このソフトウェアをソフトウェアダウンロード等により配布してもよい。また、このソフトウェアをＣＤ−ＲＯＭなどの記録媒体に記録して流布してもよい。なお、本実施の形態における、情報処理システム１を実現するソフトウェアは、以下のようなプログラムである。つまり、このプログラムは、生活習慣に関するアンケートに含まれる２以上の各設問と、病気の予防診断に関連のある項目を識別する１又は２以上の未病領域識別子との対応関係を示す第一対応情報と、２以上の各未病領域識別子と１以上のタスクとの対応関係を示す第二対応情報とが格納される対応情報格納部を備える情報処理システム１が有する１以上のコンピュータを、生活習慣に関するアンケートに含まれる２以上の各設問に対する回答を取得する回答取得部と、取得された２以上の回答と、第一対応情報と、第二対応情報とを用いて、回答を行ったユーザに遂行させるタスクに対応するタスク情報を出力するタスク出力部と、出力されたタスク情報に対応するタスクの遂行に関するタスク遂行情報を取得する遂行情報取得部と、取得されたタスク遂行情報に基づいて、タスクの遂行に関する条件を含む所定の出力条件が満たされるか否かを判断する出力条件判断部と、出力条件判断部により出力条件が満たされると判断された場合に、ユーザに１以上の商品又は当該商品を取得可能な権利を付与する付与部として機能させるための、プログラムである。
【０２８０】
（その他）
【０２８１】
本発明は、以上の実施の形態に限定されることなく、種々の変更が可能であり、それらも本発明の範囲内に包含されるものである。
【０２８２】
上述の実施の形態の構成そのものに限られず、上述の実施の形態のそれぞれの構成要素について、適宜、他の実施の形態の構成要素と置換したり組み合わせたりしてもよい。例えば、販売情報登録システムと自動販売機とが共に情報処理システムとして用いられるようにして、一のクーポン情報を用いて、ＰＯＳ端末が用いられている店舗でも、自動販売機を介してでも、いずれでも商品を受け取ることができるようにしてもよい。また、上述の実施の形態のうち、一部の構成要素や機能が省略されていてもよい。
【０２８３】
上記実施の形態において、各構成要素は専用のハードウェアにより構成されてもよく、又は、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現されうる。その実行時に、プログラム実行部は、記憶部や記録媒体にアクセスしながらプログラムを実行してもよい。また、そのプログラムは、サーバなどからダウンロードされることによって実行されてもよく、所定の記録媒体（例えば、光ディスクや磁気ディスク、半導体メモリなど）に記録されたプログラムが読み出されることによって実行されてもよい。また、このプログラムは、プログラムプロダクトを構成するプログラムとして用いられてもよい。また、そのプログラムを実行するコンピュータは、単数であってもよく、複数であってもよい。すなわち、集中処理を行ってもよく、又は分散処理を行ってもよい。
【０２８４】
また、上記実施の形態において、各処理（各機能）は、単一の装置（システム）によって集中処理されることによって実現されてもよく、あるいは、複数の装置によって分散処理されることによって実現されてもよい（この場合、分散処理を行う複数の装置により構成されるシステム全体を１つの「装置」として把握することが可能である）。例えば、上述の実施の形態において、情報処理装置が行うと記載されている動作の一部が、端末装置や、ＰＯＳサーバや、自動販売機など、他の装置において実行されるようにしてもよい。
【０２８５】
また、上記実施の形態において、各構成要素間で行われる情報の受け渡しは、例えば、その情報の受け渡しを行う２個の構成要素が物理的に異なるものである場合には、一方の構成要素による情報の出力と、他方の構成要素による情報の受け付けとによって行われてもよく、又は、その情報の受け渡しを行う２個の構成要素が物理的に同じものである場合には、一方の構成要素に対応する処理のフェーズから、他方の構成要素に対応する処理のフェーズに移ることによって行われてもよい。
【０２８６】
また、上記実施の形態において、各構成要素が実行する処理に関係する情報、例えば、各構成要素が受け付けたり、取得したり、選択したり、生成したり、送信したり、受信したりした情報や、各構成要素が処理で用いる閾値や数式、アドレス等の情報等は、上記説明で明記していなくても、図示しない記録媒体において、一時的に、又は長期にわたって保持されていてもよい。また、その図示しない記録媒体への情報の蓄積を、各構成要素、又は、図示しない蓄積部が行ってもよい。また、その図示しない記録媒体からの情報の読み出しを、各構成要素、又は、図示しない読み出し部が行ってもよい。
【０２８７】
また、上記実施の形態において、各構成要素等で用いられる情報、例えば、各構成要素が処理で用いる閾値やアドレス、各種の設定値等の情報がユーザによって変更されてもよい場合には、上記説明で明記していなくても、ユーザが適宜、それらの情報を変更できるようにしてもよく、又は、そうでなくてもよい。それらの情報をユーザが変更可能な場合には、その変更は、例えば、ユーザからの変更指示を受け付ける図示しない受付部と、その変更指示に応じて情報を変更する図示しない変更部とによって実現されてもよい。その図示しない受付部による変更指示の受け付けは、例えば、入力デバイスからの受け付けでもよく、通信回線を介して送信された情報の受信でもよく、所定の記録媒体から読み出された情報の受け付けでもよい。
【産業上の利用可能性】
【０２８８】
以上のように、本発明にかかる情報処理システムは、病気の予防に関する課題をユーザに認識させるとともに、ユーザにタスクを遂行させる動機付けを行うことができるという効果を有し、情報処理システム等として有用である。
【符号の説明】
【０２８９】
１、１ｂ  情報処理システム
１００  情報処理装置
１１０  格納部
１１１  対応情報格納部
１１５  ユーザ情報格納部
１２０  受信部
１３０  受付部
１４０  処理部
１４１  回答取得部
１４３  タスク出力部
１４５  出力条件判断部
１４７  付与部
１４９  課題情報出力部
１５１  クーポン情報管理部
１５３  抽選結果取得部
１７０  送信部
６００  端末装置
６１０  端末格納部
６１１  クーポン情報格納部
６１２  計測情報格納部
６２０  端末受信部
６３０  端末受付部
６４０  端末処理部
６６０  端末出力部
６７０  端末送信部
６８０  計測部
７００  販売情報登録システム
７０１  ＰＯＳ端末
７１０  ＰＯＳサーバ
７１１  ＰＯＳ格納部
７１２  在庫情報格納部
７２０  ＰＯＳ受信部
７４０  ＰＯＳ処理部
７４１  在庫管理部
７４２  ＰＯＳクーポン情報取得部
７７０  ＰＯＳ送信部
９００  自動販売機
９０１  商品保管庫
９０３  払出部
９０７  販売機読取部
９１０  販売機格納部
９１１  販売機在庫情報格納部
９２０  販売機受信部
９４０  販売機処理部
９４１  販売機在庫管理部
９４２  販売機取得部
９７０  販売機送信部
Ｓ１１  ログイン画面
Ｓ１２  回答画面
Ｓ１３  スコア表示画面
Ｓ１４  タスク提示画面
Ｓ２１  日常画面
Ｓ２２  タスク表示画面
Ｓ２３  知識表示画面
Ｓ２４  ランクアップ画面
Ｓ２５  クーポン画面
Ｓ３１  実績情報表示画面
Ｓ４１  ミッション画面
Ｓ４２  バッジ一覧画面
Ｓ４３  ミッション達成画面
【要約】      （修正有）【課題】ユーザに病気の予防を目的としたタスクを遂行させる情報処理システム、情報処理方法及びプログラムを提供する。【解決手段】情報処理システムにおいて、情報処理装置１００は、生活習慣に関するアンケートに含まれる２以上の各設問と、１又は２以上の未病領域識別子との対応関係を示す第一対応情報と、２以上の各未病領域識別子と１以上のタスクとの対応関係を示す第二対応情報とが格納されており、２以上の各設問に対する回答を取得する回答取得部１４１と、取得した２以上の回答と、第一対応情報と、第二対応情報とを用いてタスク情報を出力するタスク出力部１４３と、出力されたタスク情報に対応するタスク遂行情報に基づいて、所定の出力条件が満たされるか否かを判断する出力条件判断部１４５と、出力条件が満たされると判断された場合に、ユーザに１以上の商品又は商品を取得可能な権利を付与する付与部１４７とを備える。【選択図】図３【図１】
0006890693.tif 000002
【図２】
0006890693.tif 000003
【図３】
0006890693.tif 000004
【図４】
0006890693.tif 000005
【図５】
0006890693.tif 000006
【図６】
0006890693.tif 000007
【図７】
0006890693.tif 000008
【図８】
0006890693.tif 000009
【図９】
0006890693.tif 000010
【図１０】
0006890693.tif 000011
【図１１】
0006890693.tif 000012
【図１２】
0006890693.tif 000013
【図１３】
0006890693.tif 000014
【図１４】
0006890693.tif 000015
【図１５】
0006890693.tif 000016
【図１６】
0006890693.tif 000017
【図１７】
0006890693.tif 000018
【図１８】
0006890693.tif 000019
【図１９】
0006890693.tif 000020
【図２０】
0006890693.tif 000021
【図２１】
0006890693.tif 000022
【図２２】
0006890693.tif 000023
【図２３】
0006890693.tif 000024
【図２４】
0006890693.tif 000025
【図２５】
0006890693.tif 000026
【図２６】
0006890693.tif 000027
【図２７】
0006890693.tif 000028
【図２８】
0006890693.tif 000029
【図２９】
0006890693.tif 000030
【図３０】
0006890693.tif 000031
【図３１】
0006890693.tif 000032
【図３２】
0006890693.tif 000033
【図３３】
0006890693.tif 000034